(57)【要約】【課題】案内通路の少なくとも一部が設けられるベース体に対して発光手段を好適に設けることが可能な遊技機を提供すること。【解決手段】パチンコ機の遊技領域には可変入賞部３２が設けられている。可変入賞部３２には、入賞した遊技球を遊技盤２４の前面方向から背面方向へ誘導し、下方向へ排出する通路領域が設けられている。当該通路領域の途中には、通路の方向を曲げる曲げ部が設けられている。当該曲げ部及び前後方向の通路領域の少なくとも一方と同じ高さ位置となる位置にＬＥＤを有する発光基板が設けられており、遊技機前方へ光を照射している。当該光の照射方向の先側には光透過性部材によって形成された部材が設けられており、ＬＥＤの照射光はパチンコ機前側から視認可能となっている。【選択図】      図４
2019081084.tif 000002
【特許請求の範囲】
【請求項１】
遊技媒体を受け入れ可能な第１状態と、当該第１状態よりも受け入れ困難な第２状態とに変化可能な受入手段と、
当該受入手段が前記第１状態のときに受け入れられた遊技媒体を所定方向へ案内し、当該案内の途中位置において通路方向を変更する曲げ部を有する案内通路と、
前記曲げ部の上流側の通路領域において、検知用孔部を通過する遊技媒体を検知する検知手段と、
前記曲げ部よりも後方から前方の前記検知手段に対し、光を照射する発光手段と、
を備え、
前記受入手段は、前記検知手段に対して前記光の照射方向の先側に設けられ、前記検知用孔部を通過した光を透過可能であるとともに前記検知手段を前方から視認可能とする光透過手段を備え、
前記第１状態において前記光透過手段を介さずに前記検知用孔部を視認可能であり、前記第２状態において前記光透過手段を介して前記光を視認可能であることを特徴とする遊技機。
【発明の詳細な説明】
【技術分野】
【０００１】
本発明は、遊技機に関するものである。
【背景技術】
【０００２】
遊技機の一種として、パチンコ遊技機が知られている。パチンコ遊技機は、発射された遊技球が流下する遊技領域を備えており、当該遊技領域には遊技球が入球可能な入球部が設けられている。
【０００３】
入球部としては、その入球に基づき賞球を発生させる入球部や、その入球が内部抽選の契機となる入球部などが設けられており、さらにそれら入球部に入球しなかった遊技球を遊技領域から排出させるためのアウト口が設けられている。入球部に入球した遊技球は、ベース体としての遊技盤を貫通する前後通路により遊技盤の背面側へと導かれた後に、縦通路により遊技盤の下方へ排出される。
【０００４】
また、上記遊技機においては、遊技の興趣向上を図るべく演出効果を高める必要がある。かかる演出効果を高める一手法として、遊技盤の背面側に、ＬＥＤなどが搭載された発光基板を設け、遊技領域内において光による演出を行う手法がある（例えば特許文献１参照）。
【先行技術文献】
【特許文献】
【０００５】
【特許文献１】特開２０１０−１６２２４１号公報
【発明の概要】
【発明が解決しようとする課題】
【０００６】
ここで、上記遊技機においては、遊技の興趣向上を図るべく、遊技領域に対して設けられる装置の数が増加する傾向、又は遊技領域に対して設けられた表示装置が大型化する傾向にある。これに対して、上記遊技機の寸法には規格がある。そうすると、上記発光基板を設けるスペースに制約が生じる。
【０００７】
なお、上記問題は、パチンコ遊技機に限られた問題でなく、遊技媒体の案内通路に隣接させて発光手段を設けることで演出効果を高めることが可能な他の遊技機においても同様に発生する問題である。
【０００８】
本発明は、上記例示した事情等に鑑みてなされたものであり、案内通路の少なくとも一部が設けられるベース体に対して発光手段を好適に設けることが可能な遊技機を提供することを目的とするものである。
【課題を解決するための手段】
【０００９】
本発明は、
遊技媒体を受け入れ可能な第１状態と、当該第１状態よりも受け入れ困難な第２状態とに変化可能な受入手段と、
当該受入手段が前記第１状態のときに受け入れられた遊技媒体を所定方向へ案内し、当該案内の途中位置において通路方向を変更する曲げ部を有する案内通路と、
前記曲げ部の上流側の通路領域において、検知用孔部を通過する遊技媒体を検知する検知手段と、
前記曲げ部よりも後方から前方の前記検知手段に対し、光を照射する発光手段と、
を備え、
前記受入手段は、前記検知手段に対して前記光の照射方向の先側に設けられ、前記検知用孔部を通過した光を透過可能であるとともに前記検知手段を前方から視認可能とする光透過手段を備え、
前記第１状態において前記光透過手段を介さずに前記検知用孔部を視認可能であり、前記第２状態において前記光透過手段を介して前記光を視認可能であることを特徴とする。
【発明の効果】
【００１０】
本発明によれば、案内通路の少なくとも一部が設けられるベース体に対して発光手段を好適に設けることが可能となる。
【図面の簡単な説明】
【００１１】
【図１】パチンコ機を示す正面図である。
【図２】パチンコ機の主要な構成を展開して示す斜視図である。
【図３】パチンコ機の主要な構成を展開して示す斜視図である。
【図４】遊技盤の正面図である。
【図５】入賞ユニットの前方斜視図である。
【図６】入賞ユニットの背面図である。
【図７】入賞ユニットの前方分解斜視図である。
【図８】入賞ユニットの後方分解斜視図である。
【図９】一部破断部分を含む入賞ユニットの側面図である。
【図１０】大入賞口及びその周辺を拡大して示す正面図である。
【図１１】大入賞口に対する入賞検知センサ及び発光基板の位置関係を説明するための模式図である。
【図１２】パチンコ機の電気的構成を示すブロック図である。
【図１３】（ａ）は第２の実施の形態における大入賞口及びその周辺を拡大して示す正面図であり、（ｂ）は第２の実施の形態における大入賞口に対する入賞検知センサ及び発光基板の位置関係を説明するための模式図である。
【図１４】第２の実施の形態における入賞ユニットの前方分解斜視図である。
【図１５】第２の実施の形態における入賞ユニットの断面図である。
【図１６】第３の実施の形態における入賞ユニットの背面図である。
【図１７】第４の実施の形態における大入賞口に対する入賞検知センサ及び発光基板の位置関係を説明するための模式図である。
【発明を実施するための形態】
【００１２】
＜第１の実施の形態＞
以下、遊技機の一種であるパチンコ遊技機（以下、「パチンコ機」という）の第１の実施の形態を、図面に基づいて詳細に説明する。図１はパチンコ機１０の正面図、図２及び図３はパチンコ機１０の主要な構成を展開して示す斜視図である。なお、図２では便宜上パチンコ機１０の遊技領域内の構成を省略している。
【００１３】
パチンコ機１０は、当該パチンコ機１０の外殻を形成する外枠１１と、この外枠１１に対して前方に回動可能に取り付けられた遊技機本体１２とを有する。外枠１１は木製の板材を四辺に連結し構成されるものであって矩形枠状をなしている。パチンコ機１０は、外枠１１を島設備に取り付け固定することにより、遊技ホールに設置される。
【００１４】
遊技機本体１２は、図２及び図３に示すように、内枠１３と、その内枠１３の前方に配置される前扉枠１４と、内枠１３の後方に配置される裏パックユニット１５とを備えている。遊技機本体１２のうち内枠１３が外枠１１に対して回動可能に支持されている。詳細には、正面視で左側を回動基端側とし右側を回動先端側として内枠１３が前方へ回動可能とされている。
【００１５】
内枠１３には、図２に示すように、前扉枠１４が回動可能に支持されており、正面視で左側を回動基端側とし右側を回動先端側として前方へ回動可能とされている。また、内枠１３には、図３に示すように、裏パックユニット１５が回動可能に支持されており、正面視で左側を回動基端側とし右側を回動先端側として後方へ回動可能とされている。
【００１６】
なお、遊技機本体１２には、図３に示すように、その回動先端部に施錠装置１６が設けられており、遊技機本体１２を外枠１１に対して開放不能に施錠状態とする機能を有しているとともに、前扉枠１４を内枠１３に対して開放不能に施錠状態とする機能を有している。これらの各施錠状態は、図１に示すように、パチンコ機１０前面にて露出させて設けられたシリンダ錠１７に対して解錠キーを用いて解錠操作を行うことにより、それぞれ解除される。
【００１７】
次に、遊技機本体１２の前面側の構成について説明する。
【００１８】
内枠１３は、図２に示すように、外形が外枠１１とほぼ同一形状をなす樹脂ベース２１を主体に構成されている。樹脂ベース２１の中央部には略楕円形状の窓孔２３が形成されている。樹脂ベース２１には遊技盤２４が着脱可能に取り付けられている。遊技盤２４は合板よりなり、遊技盤２４の前面に形成された遊技領域が樹脂ベース２１の窓孔２３を通じて内枠１３の前面側に露出した状態となっている。
【００１９】
ここで、遊技盤２４の構成を図４に基づいて説明する。図４は遊技盤２４の正面図である。
【００２０】
遊技盤２４には、ルータ加工が施されることによって前後方向に貫通する大小複数の開口部が形成されている。各開口部には入賞ユニット３０，一般入賞口３１，スルーゲート３５，可変表示ユニット３６，メイン表示部４３及び役物用表示部４４等がそれぞれ設けられている。また、入賞ユニット３０には上入賞部３３、下入賞部３４及び可変入賞部３２が設けられている。
【００２１】
遊技領域の中央位置を含むようにして可変表示ユニット３６が配置されており、さらに遊技領域の横方向の中央ライン上において可変表示ユニット３６、入賞ユニット３０がこの順序で上下に並ぶように配置されている。また、スルーゲート３５は、可変表示ユニット３６の左側に１個設けられているとともに、右側に１個設けられている。また、一般入賞口３１は、入賞ユニット３０の高さ位置において、この入賞ユニット３０の左方に２個設けられているとともに、右方に２個設けられている。
【００２２】
ちなみに、一般入賞口３１、上入賞部３３及び下入賞部３４のそれぞれは、複数の遊技球（金属球）が同時に入球することを阻止しながら、ある程度の入球頻度を確保するために、遊技球の直径よりも若干大きい開口面積を有している。
【００２３】
一般入賞口３１、可変入賞部３２、上入賞部３３及び下入賞部３４への入球が発生すると、それが遊技盤２４の背面側に配設された入賞検知センサにより検知され、その検知結果に基づいて所定数の賞球の払い出しが実行される。この場合、上入賞部３３への入球が発生した場合及び下入賞部３４への入球が発生した場合には３個の賞球の払い出しが実行され、一般入賞口３１への入球が発生した場合には１０個の賞球の払い出しが実行され、可変入賞部３２への入球が発生した場合には１５個の賞球の払い出しが実行される。但し、これら賞球の個数は任意であり、例えば上入賞部３３に係る賞球個数よりも下入賞部３４に係る賞球個数が多いといったように、両入賞部３３、３４の賞球個数が相違していてもよい。また、可変入賞部３２に係る賞球個数が他の賞球個数に比べて多い構成に限定されることはなく、例えば一般入賞口３１に係る賞球個数よりも少ない構成としてもよく、一般入賞口３１に係る賞球個数が最も多い構成としてもよい。
【００２４】
その他に、遊技盤２４の最下部にはアウト口３７が設けられており、各種入賞口等に入らなかった遊技球はアウト口３７を通って遊技領域から排出される。また、遊技盤２４には、遊技球の落下方向を適宜分散、調整等するために多数の釘３８が植設されていると共に、風車等の各種部材（役物）が配設されている。
【００２５】
ここで、入球とは、所定の開口部を遊技球が通過することを意味し、開口部を通過した際にそのまま遊技領域から排出される態様だけでなく、開口部を通過した後に遊技領域を再度流下する態様も含まれる。但し、以下の説明では、アウト口３７への遊技球の入球と明確に区別するために、一般入賞口３１、可変入賞部３２、上入賞部３３、下入賞部３４又はスルーゲート３５への遊技球の入球を、入賞とも表現する。
【００２６】
上入賞部３３及び下入賞部３４は共に上向きに開放されている。また、上から上入賞部３３，下入賞部３４，可変入賞部３２の順となるようにして両入賞部３３，３４及び可変入賞部３２は鉛直方向に並んでいる。下入賞部３４には、左右一対の可動片よりなるガイド片（サポート片）としての電動役物３４ａが設けられている。
【００２７】
電動役物３４ａは遊技盤２４の背面側に搭載された図６に図示の電動役物駆動部３４ｂに連結されており、当該電動役物駆動部３４ｂにより駆動されて閉状態（非サポート状態又は非ガイド状態）及び開状態（サポート状態又はガイド状態）のいずれかに配置される。電動役物３４ａの閉状態では遊技球が下入賞部３４に入賞できず、電動役物３４ａが開状態となることで下入賞部３４への入賞が可能となる。
【００２８】
なお、これに限定されず、下入賞部３４への遊技球の入賞が発生し易い状態と、入賞が不可ではないが上記入賞が発生し易い状態よりも入賞が発生しづらい状態とに、電動役物３４ａが切り換えられる構成としてもよい。また、電動役物３４ａを不具備とし、入賞が発生し易い状態とそれよりも入賞が発生しづらい状態との間の切り換えが、下入賞部３４自身の変位により行われる構成としてもよい。
【００２９】
可変入賞部３２は、通常は遊技球が入賞できない閉状態になっており、大当たり当選といった開閉実行モード（特別遊技状態）への移行当選となった際に、遊技球が入賞しやすい所定の開状態に切り換えられるようになっている。可変入賞部３２の開放態様として具体的には、所定時間（例えば３０秒間）の経過又は所定個数（例えば１０個）の入賞を１ラウンドとして、複数ラウンド（例えば１５ラウンド）を上限として可変入賞部３２が繰り返し開放される。
【００３０】
メイン表示部４３では、上入賞部３３又は下入賞部３４への入賞をトリガとして絵柄の変動表示が行われ、その変動表示の停止結果として、上入賞部３３又は下入賞部３４への入賞に基づいて行われた内部抽選の結果が表示によって明示される。つまり、本パチンコ機１０では、上入賞部３３への入賞と下入賞部３４への入賞とが内部抽選において区別されておらず、上入賞部３３又は下入賞部３４への入賞に基づいて行われた内部抽選の結果が共通の表示領域であるメイン表示部４３にて明示される。そして、上入賞部３３又は下入賞部３４への入賞に基づく内部抽選の結果が開閉実行モードへの移行に対応した当選結果であった場合には、メイン表示部４３にて所定の停止結果が表示されて変動表示が停止された後に、開閉実行モードへ移行する。
【００３１】
なお、メイン表示部４３は、複数のセグメント発光部が所定の態様で配列されてなるセグメント表示器により構成されているが、これに限定されることはなく、液晶表示装置、有機ＥＬ表示装置、ＣＲＴ又はドットマトリックス表示器等その他のタイプの表示装置によって構成されていてもよい。また、メイン表示部４３にて変動表示される絵柄としては、複数種の文字が変動表示される構成、複数種の記号が変動表示される構成、複数種のキャラクタが変動表示される構成又は複数種の色が切り換え表示される構成などが考えられる。
【００３２】
役物用表示部４４では、スルーゲート３５への入賞をトリガとして絵柄の変動表示が行われ、その変動表示の停止結果として、スルーゲート３５への入賞に基づいて行われた内部抽選の結果が表示によって明示される。スルーゲート３５への入賞に基づく内部抽選の結果が電役開放状態への移行に対応した当選結果であった場合には、役物用表示部４４にて所定の停止結果が表示されて変動表示が停止された後に、電役開放状態へ移行する。電役開放状態では、下入賞部３４に設けられた電動役物３４ａが所定の態様で開放状態となる。
【００３３】
可変表示ユニット３６には、絵柄の一種である図柄を変動表示（又は、可変表示若しくは切換表示）する図柄表示装置４１が設けられているとともに、図柄表示装置４１を囲むようにしてセンターフレーム４２が配設されている。図柄表示装置４１は、液晶ディスプレイを備えた液晶表示装置として構成されており、後述する表示制御装置により表示内容が制御される。なお、図柄表示装置４１は、液晶表示装置であることに限定されることはなく、プラズマディスプレイ装置、有機ＥＬ表示装置又はＣＲＴといった表示画面を有する他の表示装置であってもよく、ドットマトリクス表示器であってもよい。
【００３４】
図柄表示装置４１では、上入賞部３３又は下入賞部３４への入賞に基づいて図柄の変動表示が開始される。すなわち、メイン表示部４３において変動表示が行われる場合には、それに合わせて図柄表示装置４１において変動表示が行われる。例えば上、中及び下に並べて図柄が表示され、これらの図柄が左右方向にスクロールされるようにして変動表示されるようになっている。そして、予め設定されている有効ライン上に所定の組み合わせの図柄が停止表示された場合には、開閉実行モードが発生することとなる。
【００３５】
なお、いずれかの入賞部３３，３４への入賞に基づいて、メイン表示部４３及び図柄表示装置４１にて変動表示が開始され、所定の停止結果を表示し上記変動表示が停止されるまでが遊技回の１回に相当する。
【００３６】
センターフレーム４２の前面側における左上部分には、メイン表示部４３及び図柄表示装置４１に対応した第１保留ランプ部４５が設けられている。遊技球が上入賞部３３又は下入賞部３４に入賞した個数は最大４個まで保留され、第１保留ランプ部４５の点灯によってその保留個数が表示されるようになっている。
【００３７】
センターフレーム４２の右上部分には、役物用表示部４４に対応した第２保留ランプ部４６が設けられている。遊技球がスルーゲート３５を通過した回数は最大４回まで保留され、第２保留ランプ部４６の点灯によってその保留個数が表示されるようになっている。なお、各保留ランプ部４５，４６の機能が図柄表示装置４１の一部の領域における表示により果たされる構成としてもよい。
＜入賞ユニット３０の構成について＞
次に入賞ユニット３０の構成を図５〜図１１に基づいて説明する。
【００３８】
図５は入賞ユニット３０を前方から見た斜視図、図６は入賞ユニット３０の背面図、図７は入賞ユニット３０を前方から見た分解斜視図、図８は入賞ユニット３０を後方から見た分解斜視図、図９は一部破断部分を含む入賞ユニット３０の側面図、図１０は大入賞口２２１及びその周辺を拡大して示す正面図、図１１は大入賞口２２１に対する可変入賞検知センサ２３３及び発光基板２４３の位置関係を説明するための模式図である。なお、図１１において発光基板２４３に対し破線にてハッチングしてあるが、断面を示しているのではなく発光基板２４３の設置範囲を示している。また、可変入賞検知センサ２３３の設置範囲を実線で示しているが、全ての範囲が視認可能ということではない。遊技球の案内通路やその他の大入賞口２２１後方の構成については図示を省略する。
【００３９】
図５に示すように、入賞ユニット３０の上部には上入賞部３３、中央部には下入賞部３４、下部には可変入賞部３２が設けられている。各入賞部３２〜３４はベース部材２０１に対して設けられている。
【００４０】
ベース部材２０１は、ＡＢＳ樹脂等の合成樹脂で形成されている。ベース部材２０１は板状をなす板状部２０１ａを備えているとともに、当該板状部２０１ａには厚み方向に突出する部位が一体形成されている。
【００４１】
板状部２０１ａは、上下方向の中央に横幅の狭い幅狭部２５５を有しており、その上下には幅狭部２５５よりも横幅の広い幅広部が形成されている。幅狭部２５５に対して下側の幅広部２５７は上側の幅広部２５６よりも横幅が広く形成されており、横方向の中央から幅狭部２５５が起立している。幅狭部２５５は中央部分の横幅が最も狭くなっており、上下の幅広部に近づくにしたがって、横幅が広くなっている。また、板状部２０１ａの周縁部分には、フランジ２０２が形成されている。フランジ２０２は入賞ユニット３０を遊技機前方から遊技盤２４に設置する場合に、遊技盤２４へ面を押し当てるためのものである。板状部２０１ａを境界として、ベース部材２０１の前面は遊技領域内に、ベース部材２０１の背面は遊技盤２４の背面側に位置している。
【００４２】
次に上入賞部３３について説明する。
【００４３】
ベース部材２０１は上側の幅広部２５６に、厚み方向に突出した上入賞案内部２５３を有しており、上入賞案内部２５３の遊技領域において前方に突出した部分には凹形状の球受部２０３が形成されている。また、上入賞案内部２５３の背面に突出した部分は球受部２０３に連通し、ベース部材２０１の背面に向かって下方向に傾斜している。
【００４４】
上入賞案内部２５３の背面には、上入賞通路部材２０６が取り付けられている。上入賞通路部材２０６には、横方向に下り傾斜となるように底部２０７が形成されている。
【００４５】
遊技領域を流下して上入賞部３３に入賞した遊技球は、上入賞案内部２５３により後方へ誘導されるとともに、上入賞通路部材２０６によって横方向に誘導され、図示しない入賞検知センサを通って排出される。後述するように下入賞部３４及び可変入賞部３２が上入賞部３３の下方に存在しており、それらとの干渉を回避することができるように、誘導方向を横方向としている。
【００４６】
次に下入賞部３４について説明する。
【００４７】
図５に示すように、ベース部材２０１の幅狭部２５５には、下入賞部３４が設けられている。幅狭部２５５の上部には、図７に示すように前後に貫通し、一度に遊技球１個が入賞可能な大きさの下入賞案内口２１０が設けられている。ベース部材２０１の幅狭部２５５には、前方から下入賞案内口２１０を覆うようにして、役物ベース部材２１１が設けられている。
【００４８】
役物ベース部材２１１は、図８に示すように、下入賞案内口２１０をその前方にて覆う役物板状部２５８を備えている。役物板状部２５８の背面から後方に突出させて形成された支軸２１１ａに支持させるようにして電動役物３４ａが回動可能に支持されている。
【００４９】
図６に示すように、ベース部材２０１の背面側において、上入賞通路部材２０６の下方にはソレノイド及び伝達部材からなる電動役物駆動部３４ｂが設置されており、電動役物駆動部３４ｂは上入賞通路部材２０６を上側のカバーとして使用している。ソレノイドは本体とプランジャからなり、電動役物駆動部３４ｂはプランジャの移動方向が前後になるように設置され、上入賞通路部材２０６とベース部材２０１にネジで共締めされ固定されている。ソレノイドが励磁されている場合はプランジャが吸引状態となり、非励磁の場合は伸張状態となる。電動役物駆動部３４ｂは、励磁時には電動役物３４ａを開状態（サポート状態又はガイド状態）に、非励磁時には閉状態（非サポート状態又は非ガイド状態）に配置する。
【００５０】
図８に示すように、下入賞部３４に入賞した遊技球は下入賞案内口２１０を通り、ベース部材２０１の背面に形成された下入賞案内通路２１３へと誘導される。下入賞案内通路２１３は、ベース部材２０１の背面に向かって下方向に傾斜する下入賞案内底部２５９と、下入賞案内底部２５９から上方に向けて起立するように形成された案内側壁２１４とにより形成されている。下入賞案内通路２１３の天井部分としては、電動役物駆動部３４ｂのソレノイドの底面が使用されている。下入賞案内通路２１３の案内先には下入賞排出部材２１７が設けられている。下入賞排出部材２１７はベース部材２０１に対してその背面側からネジ止めされており、下入賞案内通路２１３により案内された遊技球を下方向へと排出させる奥壁２１８を形成している。
【００５１】
下入賞排出部材２１７は、ベース部材２０１において下入賞案内底部２５９の下方にて後方へと起立させて形成された起立壁部２６８とともに、下入賞用の排出通路２１９を形成するものである（下入賞用の排出通路２１９については図６参照）。下入賞用の排出通路２１９は、下入賞案内通路２１３の最下流部から鉛直下方に延びるように形成されており、その途中位置に下入賞検知センサ２１６が設けられている。下入賞検知センサ２１６は、磁気検知タイプの近接センサであり、本体部２６９においてその厚み方向に貫通させて形成された貫通孔２７０を遊技球が通過した場合に、コネクタ部２７１を介して通過検知信号を出力する。
【００５２】
なお、下入賞検知センサ２１６は磁気検知タイプの近接センサに限定されることはなく、遊技球を検知することができるのであれば任意であり、例えば、フォトセンサなどを用いてもよい。
【００５３】
下入賞検知センサ２１６は、ベース部材２０１の起立壁部２６８と、下入賞排出部材２１７とにより形成されたセンサ装着部２１５に装着されている。センサ装着部２１５について詳細には、センサ装着部２１５は、パチンコ機１０後方に向けて開放された装着空間を規定しており、この装着空間に対して下入賞検知センサ２１６が背面側から挿入されている。この挿入方向は、下入賞検知センサ２１６のコネクタ部２７１が挿入元側となる方向であり、コネクタ部２７１は、センサ装着部２１５よりも後方に突出するとともに入賞ユニット３０の背面にて露出している。このようにコネクタ部２７１を露出させることで、下入賞検知センサ２１６に対する電気配線の接続作業の容易化が図られる。
【００５４】
下入賞検知センサ２１６は貫通孔２７０の軸線が縦方向となるように装着されており、当該貫通孔２７０は下入賞用の排出通路２１９の一部を構成している。この場合に、上記装着空間の天井部分は下入賞案内底部２５９により規定されており、下入賞検知センサ２１６の上面はこの下入賞案内底部２５９に近接している。このように下入賞検知センサ２１６が設置されていることにより、貫通孔２７０を下入賞用の排出通路２１９における入口部分に配置することが可能となる。
【００５５】
なお、センサ装着部２１５には、下入賞検知センサ２１６を挿入するための挿入用開口の周縁部からパチンコ機１０後方へと起立させてフック部２２０が形成されており、このフック部２２０が下入賞検知センサ２１６の本体部２６９に対して挿入元側から係合することで、下入賞検知センサ２１６の抜けが防止されている。
【００５６】
次に可変入賞部３２について詳細に説明する。
【００５７】
図５に示すように、ベース部材２０１の板状部２０１ａの下側の幅広部２５７に可変入賞部３２が設けられており、ベース部材２０１を前後方向に貫通する大入賞口２２１が形成されている。
【００５８】
図７に示すように、大入賞口２２１は横長の矩形状をなしており、横幅として遊技球２個分以上の幅を有しており、具体的には、６個分となっている。また、縦幅としては、遊技球１個分以上であって２個分未満となっており、具体的には遊技球１個分よりも若干大きい程度となっている。
【００５９】
この大入賞口２２１を前後に挟むようにして複数の部材３２ａ，２２２〜２６７がベース部材２０１に対して一体化されていることにより、可変入賞部３２が構成されている。これら複数の部材３２ａ，２２２〜２６７の一つとして、大入賞口２２１を開閉するための入賞扉２２２が設けられている。入賞扉２２２は、ベース部材２０１の背面に固定された第１案内部材２２４に回動可能に支持されている。詳細には、第１案内部材２２４の前面には、大入賞口２２１側へと突出させて左右一対の軸孔部２２７が一体形成されており、当該軸孔部２２７に１対１で対応させて入賞扉２２２の左右両縁にも左右一対の軸孔部２２８が形成されている。そして、それぞれ対応する軸孔部２２７，２２８が同一軸線上となるように入賞扉２２２が配置された状態で、それぞれ対応する軸孔部２２７，２２８に対して図示しない支軸が挿通固定されていることで、入賞扉２２２は下部において横方向に延びる回動軸を中心に前後に回動可能とされている。
【００６０】
入賞扉２２２は、大入賞口２２１よりも面積が大きく設定されており、入賞扉２２２が起立した閉鎖状態においては大入賞口２２１の全体を閉塞して当該大入賞口２２１への遊技球の流入を阻止する。一方、閉鎖状態よりもパチンコ機１０前方に向けて回動して図示しないストッパによりそれ以上の回動が阻止された開放状態においては大入賞口２２１の全体を開放して当該大入賞口２２１への遊技球の流入を許容する。かかる入賞扉２２２の閉鎖状態と開放状態との間の遷移は、第１案内部材２２４よりもパチンコ機１０後側に設けられた可変入賞駆動部３２ａにより駆動されることで行われる。
【００６１】
可変入賞駆動部３２ａは、ソレノイドによって構成されており、ソレノイドは本体とプランジャからなり、可変入賞駆動部３２ａはプランジャの移動方向が前後になるように設置されている。ソレノイドが励磁されている場合はプランジャが吸引状態となり、非励磁の場合は伸張状態となる。この動作を入賞扉２２２と可変入賞駆動部３２ａの間に設けられた伝達部材２４９を介して入賞扉２２２に伝えることで、入賞扉２２２の開閉動作を行う。具体的には、可変入賞駆動部３２ａは、励磁時には入賞扉２２２を開放状態（サポート状態又はガイド状態）に、非励磁時には閉鎖状態（非サポート状態又は非ガイド状態）に配置する。
【００６２】
入賞扉２２２の前方には可変入賞部３２の装飾としてゲート部材２２３が設けられている。ゲート部材２２３は、板状部２７６と板状部２７６の背面からベース部材２０１へと突出する左右一対の柱状部２７７とが一体形成されている。板状部２７６は、入賞扉２２２を前方から覆うようにして設けられており、入賞扉２２２よりも面積が大きく設定されている。柱状部２７７は、ベース部材２０１の背面側からベース部材２０１に対してネジで固定されている。板状部２７６と大入賞口２２１との距離は、遊技球１個分以上であって、２個分未満となっており、さらにその距離は入賞扉２２２の開閉をゲート部材２２３が阻害しない距離に設定されている。
【００６３】
次に大入賞口２２１に入賞した遊技球の流下通路の構成について説明する。
【００６４】
大入賞口２２１に入賞した遊技球の流下通路は、既に説明した第１案内部材２２４を含めて、ベース部材２０１の背面側において前後方向に並設された各部材２２４〜２３８により区画形成されている。これら各部材２２４〜２３８のうち第１案内部材２２４が最も前方に位置しており、第１案内部材２２４はベース部材２０１に対して背面側からネジ固定されている。
【００６５】
第１案内部材２２４は横長に形成されており、その横寸法はベース部材２０１における下側の幅広部２５７よりも若干短い程度となっている。第１案内部材２２４には、前後方向に貫通する導入用孔部２２５が形成されている。導入用孔部２２５は、大入賞口２２１と同一又は略同一の形状及び開口面積を有しており、大入賞口２２１の全体又は略全体に対してパチンコ機１０後側から重なっている。
【００６６】
導入用孔部２２５の一部をパチンコ機１０後側から閉塞するようにして第２案内部材２３２が設けられている。第２案内部材２３２は、第１案内部材２２４と同様に横長に形成されており、大入賞口２２１側を向く閉塞用壁部２２９により、導入用孔部２２５の一部をパチンコ機１０後側から閉塞している。
【００６７】
ここで、導入用孔部２２５の周縁部において当該導入用孔部２２５の底側を規定する導入用底部２６３は、横方向の一方に向けて下り傾斜となっている。また、閉塞用壁部２２９には、導入用底部２６３において最も低位となった箇所の奥側位置に前後方向に貫通する規制用孔部２３０が形成されている。規制用孔部２３０は、複数の遊技球を同時に通過させることを不可とする大きさ、より詳細には遊技球１個分よりも若干大きく形成されている。このように導入用孔部２２５及び閉塞用壁部２２９が形成されていることにより、大入賞口２２１に入球した遊技球は、先ず閉塞用壁部２２９により後方への移動が規制された状態で導入用底部２６３上を下り、規制用孔部２３０の位置に誘導される。そして、規制用孔部２３０を１個ずつ通過することとなる。
【００６８】
図９に示すように、規制用孔部２３０に達した遊技球は、第２案内部材２３２の後方に設けられている排出部材２３８を用いて形成された可変入賞用の排出通路２２６に流入する。可変入賞用の排出通路２２６は、通路方向に対して直交する方向に複数の遊技球が同時に並ばないように形成されている。
【００６９】
可変入賞用の排出通路２２６は、規制用孔部２３０から続くとともにパチンコ機１０後側に向けて下り傾斜した通路領域２２６ａと、当該通路領域２２６ａの最下流部から下方へと延びる通路領域２２６ｂとを備えている。
【００７０】
ここで、排出通路２２６に形成された曲げ部２８０について詳細に説明する。排出部材２３８に設けられた下方向の通路領域２２６ｂは、前後方向の通路領域２２６ａとともに排出通路２２６を形成することで、排出通路２２６の方向を下方へ曲げる部分（以下、曲げ部２８０という）を形成している。
【００７１】
図７に示すように、通路領域２２６ｂは、排出部材２３８からパチンコ機１０前方へ突出した通路の上面を規定する天井部２８１、当該天井部２８１から鉛直下方向に一体形成された側壁２８２、通路の奥行きを規定する奥壁２８３により形成されている。具体的な奥行きは遊技球１個分より若干長い程度となっている。通路領域２２６ｂはパチンコ機１０前方に向けて開放され、通路領域２２６ａの通路面積と略同一の面積を有する通路空間を規定しており、この通路空間に対してパチンコ機１０前方から遊技球が１個ずつ排出される。通路領域２２６ａに可変入賞検知センサ２３３が設けられている。
【００７２】
図８に示すように、可変入賞検知センサ２３３は四角箱状のハウジング２３５を備えている。ハウジング２３５の表裏一対の各板面は長方形状をなしており、一方の短辺部側に偏倚させて検知用孔部２６６が形成されている。検知用孔部２６６は、ハウジング２３５を厚み方向に貫通しており、その開口面積は１個の遊技球は通過可能であるが２個の遊技球が軸線方向に対して直交する方向に並んだ状態での通過は不可とする大きさとなっている。具体的には、検知用孔部２６６は横断面が円形状となっており、その孔径は遊技球の直径よりも若干大きい程度となっている。
【００７３】
検知用孔部２６６を遊技球が通過したことを検知するためのセンサ基板（図示略）が、検知用孔部２６６に並設させるようにしてハウジング２３５に内蔵されている。また、このセンサ基板に対して電気配線を持続するためのコネクタ部２６２は、検知用孔部２６６が設けられた側の端部とは逆側の端部から外方に突出させて設けられている。
【００７４】
ここで、ハウジング２３５は、複数のケース部材２６０，２６１を組み合わせることで形成されているが、少なくとも表裏一対の板面のうち一方の板面を形成する側のケース部材２６０は内部を視認不可とするように着色（例えば黒色）された合成樹脂により形成されているのに対して、他方の板面の少なくとも一部を形成する側のケース部材２６１は内部を視認可能とするように透明（例えば無色透明）に形成されている。これにより、メンテナンスなどに際して、センサ基板の目視確認を行い易くなっている。
【００７５】
上記構成の可変入賞検知センサ２３３は、検知用孔部２６６を遊技球が通過した際の磁界の変化を検知することで、遊技球の通過を検知する磁気検知タイプの近接センサである。可変入賞検知センサ２３３は、遊技球の通過を検知していない状態ではコネクタ部２６２を通じて非検知信号であるＨＩレベル信号を出力し、遊技球の通過を検知している状態ではコネクタ部２６２を通じて検知信号であるＬＯＷレベル信号を出力する。なお、ＨＩレベル及びＬＯＷレベルの関係が逆であってもよい。
【００７６】
可変入賞検知センサ２３３は、既に説明したとおり、図９に示す可変入賞用の排出通路２２６のうちパチンコ機１０後側に向けて下り傾斜した通路領域２２６ａに設けられている（以下、通路領域２２６ａを傾斜領域２３１ともいう）。この場合、検知用孔部２６６の軸線方向が傾斜領域２３１の通路方向と同様に傾斜した方向となるように、可変入賞検知センサ２３３が設置されている。具体的には、可変入賞検知センサ２３３は、検知用孔部２６６が前後方向に延びるように設置されている。
【００７７】
このように可変入賞検知センサ２３３が設置された構成においては、検知用孔部２６６の周面において下側となる領域が傾斜領域２３１の底面の一部を構成する。かかる構成において、検知用孔部２６６とそれよりも上流側とで、傾斜領域２３１の底面に段差が生じないように、可変入賞検知センサ２３３の位置が設定されている。また、可変入賞検知センサ２３３は、傾斜領域２３１の途中位置ではなく、最下流部にて当該傾斜領域２３１を形成するように設けられている。傾斜領域２３１に可変入賞検知センサ２３３が設けられていることにより、大入賞口２２１に入賞した遊技球を早期に検知することが可能となる。
【００７８】
傾斜領域２３１に対して上流側にて連続する規制用孔部２３０が大入賞口２２１の横方向の一端側に設けられていることに対応させて、可変入賞検知センサ２３３の検知用孔部２６６も当該大入賞口２２１の一端側の領域に対して後方に存在している。また、可変入賞検知センサ２３３は、ハウジング２３５において検知用孔部２６６と並設された領域が大入賞口２２１の横方向の中央側に対して後方に存在するように設置されている。つまり、可変入賞検知センサ２３３は、検知用孔部２６６だけでなくコネクタ部２６２も大入賞口２２１に対して後方にて重なるように設置されている。
【００７９】
なお、可変入賞検知センサ２３３は、有色不透明に形成されたケース部材２６０により形成された板面がパチンコ機１０前方を向くように設置されている。これにより、遊技者にとってはセンサ基板が視認不可となる。
【００８０】
可変入賞検知センサ２３３は、第２案内部材２３２の後方に設けられた押さえ部材２３６により、ハウジング２３５においてセンサ基板を収容している領域が第２案内部材２３２の背面に押さえつけられていることにより固定されている。なお、押さえ部材２３６は、上述した排出部材２３８が、第１案内部材２２４において第２案内部材２３２の横方を通るように形成された左右一対のボス２３９にネジ止めされていることにより、排出部材２３８と第２案内部材２３２とにより前後に挟持されている。
【００８１】
以上のように形成された可変入賞部３２においては、入賞扉２２２が閉鎖状態である場合には大入賞口２２１への遊技球の入賞が不可となる。一方、入賞扉２２２が開放状態となった場合には、大入賞口２２１への遊技球の入賞が可能となり、大入賞口２２１に入賞した遊技球は、導入用孔部２２５の底面上を下ることで規制用孔部２３０に誘導され、当該規制用孔部２３０を１個ずつ通過する。そして、規制用孔部２３０を通過した遊技球は、可変入賞用の排出通路２２６を通過する。この通過する遊技球は、排出通路２２６における傾斜領域２３１の最下流部にて可変入賞検知センサ２３３により検知された後に、排出通路２２６における縦方向（具体的には鉛直方向）の通路領域２２６ｂを下る。そして、当該通路領域２２６ｂから、裏パックユニット１５に設けられた排出通路盤７５ｂへと誘導される。
【００８２】
ここで、当該縦方向の通路領域２２６ｂが形成された排出部材２３８は、図７に示すように第１案内部材２２４、第２案内部材２３２と同様横長に形成されている。排出部材２３８において縦方向の通路領域２２６ｂは、横方向の端部側に設けられており、その横方には、下入賞用の排出通路２１９の下流側を構成する下流領域２４１が形成されている。
【００８３】
下流領域２４１は、縦方向、詳細には鉛直方向に延びており、当該下流領域２４１が形成された位置は下入賞部３４の鉛直下方の位置となっている。下入賞排出部材２１７の最下流部から鉛直下方に延びるように形成されている。下入賞部３４に入賞した遊技球は既に説明したように、パチンコ機１０の前後方向に形成された下入賞案内底部２５９によりパチンコ機１０後方へ案内される。その後、下入賞排出部材２１７によって形成された鉛直下方向の通路により下方へ排出される。ここで、当該鉛直下方向の通路は可変入賞検知センサ２３３の後方に設けられた通路領域２２６ｂと横方向に並ぶ位置に設けられている。このように設けられた下入賞排出部材２１７の最下端部に下流領域２４１が連通されていることで、下入賞用の排出通路２１９を形成している。
【００８４】
図８に示すように、下入賞排出部材２１７の背面側の下端部には、下方に突出し、さらにその先端部からパチンコ機１０前方へ突出形成された連結フック部２７８を有している。連結フック部２７８は複数設けられており、排出部材２３８の背面側において下流領域２４１を横方向に挟む位置に設けられている。また、排出部材２３８において連結フック部２７８と前方に重なる領域に、排出部材２３８の一部をパチンコ機１０後方に開放した連結開口部２７９が設けられている。連結開口部２７９は、連結フック部２７８と１対１で対応させて設けられており、連結フック部２７８をパチンコ機１０後方から挿入可能となっている。連結フック部２７８が連結開口部２７９に挿入されていることにより、下入賞排出部材２１７が排出部材２３８に固定されている。
【００８５】
また、排出部材２３８には、下流領域２４１を間に挟むようにして上記縦方向の通路領域２２６ｂに対して反対側の端部側に、可変入賞駆動部３２ａを取り付けるための取付部２４０が形成されている。取付部２４０は排出部材２３８からパチンコ機１０後方に突出した側壁２７２、底部２７３及び奥壁２７４により形成されている。取付部２４０は、パチンコ機１０前方に向けて開放された取付空間を規定しており、この取付空間に対して可変入賞駆動部３２ａが前面側から挿入されている。この挿入方向は可変入賞駆動部３２ａのソレノイド用のコネクタ部２７５が挿入先となる方向であり、コネクタ部２７５は取付部２４０よりも後方に突出するとともに入賞ユニット３０の背面にて露出している。このようにコネクタ部２７５を露出させることで、可変入賞駆動部３２ａに対する電気配線の接続作業の容易化が図られる。取付部２４０は、排出部材２３８において縦方向の通路領域２２６ｂ及び下流領域２４１が形成された箇所の背面よりもパチンコ機１０後方に張り出している。
【００８６】
上記のように縦方向の通路領域２２６ｂと、下流領域２４１と、取付部２４０とが横方向に並設されていることにより、入賞ユニット３０の小型化が図られている。また、複数の入賞口が上下方向に一体化された入賞ユニット３０において、上下方向の寸法が厚み方向の寸法に対して長くなることにより、厚み方向の強度が低下する恐れがある。これに対し、連結フック部２７８及び連結開口部２７９によって、下入賞排出部材２１７が排出部材２３８に固定されることで、入賞ユニット３０の厚み方向の強度低下を抑制可能となる。また、下入賞用の排出通路２１９のうち鉛直下方向に延びる下流領域２４１は排出部材２３８において通路領域２２６ｂと並設され、図９に示すように可変入賞検知センサ２３３よりもパチンコ機１０後方に設けられている。このため、パチンコ機１０前方から可変入賞検知センサ２３３を視認し易くなる。
【００８７】
次に、入賞ユニット３０に設けられた発光基板２４３について説明する。
【００８８】
図７に示すように、排出部材２３８の背面側には、発光基板２４３が取り付けられている。発光基板２４３は略矩形状をなしており、排出部材２３８において縦方向の通路領域２２６ｂ及び下流領域２４１が形成された箇所の背面に設けられており、取付部２４０に対しては横並びとなっている。発光基板２４３の一方の板面には発光体としてＬＥＤ２４４が搭載されており、その板面がパチンコ機１０前方を向くように発光基板２４３が設置されている。
【００８９】
発光基板２４３と曲げ部２８０との位置関係について図９を参照しながら説明する。発光基板２４３は少なくともその一部が、排出通路２２６において曲げ部２８０及び曲げ部２８０よりも上流側の通路領域２２６ａの少なくとも一方と同じ高さ位置になるようにして設けられている。具体的には、発光基板２４３は排出部材２３８の後方において排出部材２３８と重なる領域に設けられている。縦幅は排出部材２３８の縦幅と同一又は略同一の幅に設定されている。横幅は排出部材２３８の背面において、排出部材２３８の幅から取付部２４０の幅を除いた幅と略同一の幅に設定されている（発光基板２４３の横幅については図６参照）。
【００９０】
図１０に示すように、ＬＥＤ２４４は、横方向及び縦方向に並べて複数設けられており、その設置箇所として、可変入賞検知センサ２３３における検知用孔部２６６の後方位置と、可変入賞検知センサ２３３におけるコネクタ部２６２の後方位置とが含まれている。また、コネクタ部２６２よりも大入賞口２２１の中央側領域に対する後方位置も含まれている。
【００９１】
ＬＥＤ２４４の前方に設けられた排出部材２３８、第２案内部材２３２、第１案内部材２２４、入賞扉２２２及びゲート部材２２３は、パチンコ機１０前方から窓部２３４を通じてＬＥＤ２４４の光を視認可能となるように光透過性部材で形成されている。詳細には、無色透明に形成されている。これにより、ＬＥＤ２４４から照射された光を、パチンコ機１０前方から視認することが可能となる。また、検知用孔部２６６の後方位置にＬＥＤ２４４が設けられていることにより、大入賞口２２１の略半分に対して重ねるように起立させて可変入賞検知センサ２３３が設置された構成において、ＬＥＤ２４４の光が入賞扉２２２に達し易くなる。また、発光基板２４３は、排出部材２３８の背面からパチンコ機１０後側に向けて突出するように一体形成されたボス２６７にネジ止めされている。このようにボス２６７に対して固定されていることで、発光基板２４３を入賞扉２２２に対して後方へと離間させることが可能となり、ＬＥＤ２４４の光を拡散させて入賞扉２２２の広範囲を照射することが可能となる。さらにまた、可変入賞用の排出通路２２６において傾斜領域２３１と縦方向の通路領域２２６ｂとの間の曲がり部よりもパチンコ機１０後側から光を照射可能となっている。
【００９２】
なお、発光基板２４３の背面には基板を保護する基板カバー２４５が取り付けられている。また、発光体はＬＥＤに限定されることなく、蛍光灯又は有機ＥＬ等であってもよい。
【００９３】
パチンコ機１０では各種入賞検知センサに対して様々な不正行為が想定される。当該不正行為について具体的には、可変入賞検知センサ２３３の下流側に不正具が配置される。不正具には遊技球が通過可能な通過部としての貫通孔が形成されており、さらにその周囲に沿うようにしてコイルが内蔵されているとともに、当該コイルへ電流を供給するための回路が内蔵されている。この場合、不正具はその貫通孔の中心軸線が可変入賞検知センサ２３３の検知用孔部２６６の中心軸線と同一直線上に位置するようにし、さらに貫通孔が検知用孔部２６６と連通されるように配置される。この状態で、不正具のコイルに電流を流し磁束を生じさせることで、検知用孔部２６６を遊技球が通過したと可変入賞検知センサ２３３に誤検知させることが可能となる。
【００９４】
これに対して、大入賞口２２１の後方位置にて検知用孔部２６６が前後方向に延びるように可変入賞検知センサ２３３を起立させて設けるとともに、当該検知用孔部２６６の後方位置からパチンコ機１０前方に向けて光を照射するように発光体が設けられていることにより、ホール管理者は検知用孔部２６６に不正具が設置された場合に不正を発見しやすくなる。また、可変入賞検知センサ２３３のコネクタ部２６２が大入賞口２２１の後方位置となるように可変入賞検知センサ２３３を設けるとともに、当該コネクタ部２６２の後方位置からパチンコ機１０前方に向けて光を照射するように発光体が設けられていることにより、検知用孔部２６６だけでなくコネクタ部２６２に対する不正についても発見しやすくなる。
【００９５】
図１０に示すように、入賞扉２２２の前面には、光非透過性部材で形成された装飾が付されている。その装飾領域は、入賞扉２２２において可変入賞検知センサ２３３の前方に存在している領域については、コネクタ部２６２及び検知用孔部２６６に対してパチンコ機１０前側にて重ならない領域となっている。一方、入賞扉２２２において可変入賞駆動部３２ａの前方に存在している領域については、可変入賞駆動部３２ａの略全体を覆う領域となっている。これらの装飾は、検知用孔部及びコネクタ部２６２の前方を覆う領域に付す場合、光透過性部材による装飾でパチンコ機１０前方から可変入賞部３２内が視認可能であれば付してもよい。ここで、ベース部材２０１は不透明な部材で形成されており、大入賞口２２１の開口の周縁を通じて奥を視認することは不可となっている。
【００９６】
上記のように装飾を入賞扉２２２に対して付すことで、検知用孔部２６６の下流及びコネクタ部２６２に対して不正具が設置された場合に視認可能としつつ、装飾性の低下を防ぐことが可能となる。また、開閉可能な入賞扉２２２に上記構成を適用することで、不正と疑わしい行為を発見した場合に開放状態における検知用孔部２６６を確認することにより、閉鎖状態よりも視認性を向上させることができる。
【００９７】
なお、入賞扉２２２の装飾は必須ではなく、透明部材に装飾を付していないものを入賞扉２２２としてもよい。また、ゲート部材２２３において可変入賞検知センサ２３３の前方に存在している領域については、コネクタ部２６２及び検知用孔部２６６に対してパチンコ機１０前側にて重ならない領域や、可変入賞駆動部３２ａを前方から覆う領域に装飾を付す構成としてもよい。
【００９８】
以上の入賞ユニット３０の構成により、ベース部材２０１に対して、可変入賞部３２、上入賞部３３及び下入賞部３４を一体化することが可能となっている。一体化することで、構成部品が少なくなり組み立てが容易となり、遊技盤２４への取り付けも容易となる。また、ベース部材２０１に上入賞部３３下入賞部３４が一体形成されることで入賞部間の上下方向の寸法を短くすることが可能となる。また、可変入賞検知センサ２３３を検知用孔部２６６が前後方向となるように配置することで可変入賞部３２において、可変入賞検知センサ２３３の厚み分だけ上下方向の寸法を短くすることが可能となる。これらにより入賞ユニット３０の上下方向において、遊技領域における割合を小さくすることが可能となる。遊技領域における入賞ユニット３０の占める領域を減らすことで、減らした分の領域をその他の表示装置、装飾、役物などの用途に利用できる。
【００９９】
また、ベース部材２０１背面の少なくとも一部に設けられた曲げ部２８０及びその上流の通路領域２２６ａの少なくとも一方と同じ高さ位置に発光基板２４３が並設されていることで、ベース部材２０１の背面側の限られた領域において、曲げ部２８０を設けるための必須の空間を利用して発光基板２４３を設けることが可能となる。
【０１００】
図４に示すように、遊技盤２４には、内レール部４８と外レール部４９とが取り付けられており、これら内レール部４８と外レール部４９とにより誘導レールが構成され、遊技球発射機構５１から発射された遊技球が遊技領域の上部に案内されるようになっている。なお、内レール部４８及び外レール部４９は遊技領域を区画する機能も有している。
【０１０１】
遊技球発射機構５１は、図２に示すように、樹脂ベース２１における窓孔２３の下方に取り付けられており、誘導レールに向けて延びる発射レール５２と、後述する上皿６１ａに貯留されている遊技球を発射レール５２上に供給する球送り装置５３と、発射レール５２上に供給された遊技球を誘導レールに向けて発射させる電動アクチュエータであるソレノイド５４と、を備えている。前扉枠１４に設けられた発射操作装置５５が操作されることにより、球送り装置５３が駆動制御されて１個の遊技球が発射レール５２上の球待機位置に配置されるとともに、ソレノイド５４が駆動制御されて、発射レール５２上に配置された遊技球が発射される。
【０１０２】
内枠１３の前面側全体を覆うようにして前扉枠１４が設けられている。前扉枠１４には、図１に示すように、遊技領域のほぼ全域を前方から視認することができるようにした窓部５６が形成されている。窓部５６は、略楕円形状をなし、窓パネル５７が嵌め込まれている。窓パネル５７は、ガラスによって無色透明に形成されているが、これに限定されることはなく合成樹脂によって無色透明に形成されていてもよく、パチンコ機１０前方から窓パネル５７を通じて遊技領域を視認可能であれば有色透明に形成されていてもよい。
【０１０３】
窓部５６の周囲には、各種ランプ部等の発光手段が設けられている。各種ランプ部の一部として表示ランプ部５８ａが窓部５６の上方に設けられている。また、表示ランプ部５８ａの左右両側であって前扉枠１４の上側の隅角部分には左右一対のエラーランプ部５８ｂが設けられている。また、エラーランプ部５８ｂに隣接させて、遊技状態に応じた効果音などが出力される左右一対のスピーカ部５９が設けられている。
【０１０４】
前扉枠１４における窓部５６の下方には、手前側へ膨出した上側膨出部６１と下側膨出部６２とが上下に並設されている。上側膨出部６１内側には上方に開口した上皿６１ａが設けられており、下側膨出部６２内側には同じく上方に開口した下皿６２ａが設けられている。
【０１０５】
上皿６１ａは、後述する払出装置より払い出された遊技球を一旦貯留し、一列に整列させながら遊技球発射機構５１側へ導く機能を有する。この場合、前扉枠１４には上皿６１ａの出口から連続し、内枠１３の球送り装置５３へと延びる図示しない発射誘導用通路が形成されているが、当該発射誘導用通路の出口部分には、図２に示すように、シャッタ６３が設けられている。当該シャッタ６３は、前扉枠１４を閉状態とした場合には内枠１３に形成された図示しない押圧部により押圧されて開放位置に配置され、球送り装置５３への遊技球の流入を可能とする。一方、前扉枠１４を開状態とした場合には、上記押圧部による押圧が解除されるため、シャッタ６３が閉鎖位置に配置され、上皿６１ａからの遊技球の流出が阻止される。下皿６２ａは、上皿６１ａ内にて余剰となった遊技球を貯留する機能を有する。
【０１０６】
次に、遊技機本体１２の背面側の構成について説明する。
【０１０７】
図３に示すように、内枠１３（具体的には、遊技盤２４）の背面には、遊技の主たる制御を司る主制御装置７１と、音声やランプ表示及び図示しない表示制御装置の制御を司る音声発光制御装置７２と、が搭載されている。
【０１０８】
なお、主制御装置７１の基板ボックス７１ａに対して、その開放の痕跡を残すための痕跡手段を付与する又はその開放の痕跡を残すための痕跡構造を設けてもよい。当該痕跡手段としては、基板ボックス７１ａを構成する複数のケース体を分離不能に結合するとともにその分離に際して所定部位の破壊を要する結合部（カシメ部）の構成や、引き剥がしに際して粘着層が接着対象に残ることで剥がされたことの痕跡を残す封印シールを複数のケース体間の境界を跨ぐようにして貼り付ける構成が考えられる。また、痕跡構造としては、基板ボックス７１ａを構成する複数のケース体間の境界に対して接着剤を塗布する構成が考えられる。
【０１０９】
主制御装置７１や音声発光制御装置７２を含めて内枠１３の背面側を覆うようにして裏パックユニット１５が設置されている。裏パックユニット１５は、図３に示すように、透明性を有する合成樹脂により形成された裏パック７３を備えており、当該裏パック７３に対して、払出機構部７４及び制御装置集合ユニット７５が取り付けられている。
【０１１０】
払出機構部７４は、遊技場の島設備から供給される遊技球が逐次補給されるタンク７６と、当該タンク７６に貯留された遊技球を払い出すための払出装置７７と、を備えている。払出装置７７より払い出された遊技球は、当該払出装置７７の下流側に設けられた払出通路を通じて、上皿６１ａ又は下皿６２ａに排出される。なお、払出機構部７４には、例えば交流２４ボルトの主電源が供給されるとともに、電源のＯＮ操作及びＯＦＦ操作を行うための電源スイッチを有する裏パック基板が搭載されている。
【０１１１】
制御装置集合ユニット７５は、払出装置７７を制御する機能を有する払出制御装置７８と、各種制御装置等で要する所定の電力が生成されて出力されるとともに遊技者による発射操作装置５５の操作に伴う遊技球の打ち出しの制御が行われる電源及び発射制御装置７９と、を備えている。これら払出制御装置７８と電源及び発射制御装置７９とは、払出制御装置７８がパチンコ機１０後方となるように前後に重ねて配置されている。
【０１１２】
制御装置集合ユニット７５において電源及び発射制御装置７９が搭載されることとなる搭載部７５ａには、排出通路盤７５ｂが形成されている。既に説明したとおり、遊技盤２４の背面に設けられた図示しない回収通路にて回収された遊技球は、当該排出通路盤７５ｂに導出されて、当該排出通路盤７５ｂに導かれることで最終的に遊技ホールの球送り機構に排出される。
＜パチンコ機１０の電気的構成＞
図１２は、パチンコ機１０の電気的構成を示すブロック図である。なお、電源及び発射制御装置７９から主制御装置７１及び払出制御装置７８への動作電力の供給ラインを二重線矢印で示し、それ以外の供給ラインや信号ラインを実線矢印で示す。
【０１１３】
主制御装置７１は、遊技の主たる制御を司る主制御基板９１と、電源を監視する停電監視基板（電断監視基板）９６と、を具備している。主制御基板９１には、ＭＰＵ９２が搭載されている。ＭＰＵ９２には、ＲＯＭ９３及びＲＷＭ９４が内蔵されている。
【０１１４】
ＲＯＭ９３は、ＭＰＵ９２により実行される各種の制御プログラムや固定値データを記憶している。ＲＷＭ９４は、ＲＯＭ９３内に記憶されている制御プログラムの実行に際して各種のデータ等を一時的に記憶する。また、ＭＰＵ９２又は主制御基板９１には、上記素子以外に、割込回路、タイマ回路、データ入出力回路などが設けられている。
【０１１５】
ＭＰＵ９２には、入力ポート及び出力ポートがそれぞれ設けられている。ＭＰＵ９２の入力側及び出力側には、各種制御装置が接続されているとともに、各種センサ、各種駆動部及び各種表示部が接続されている。
【０１１６】
ＭＰＵ９２の入力側には、遊技領域の可変入賞部３２、及び下入賞部３４に対して設けられた可変入賞検知センサ２３３及び下入賞検知センサ２１６が電気配線を介して電気的に接続されている。なお、図示は省略するが、一般入賞口３１、上入賞部３３、スルーゲート３５に対して設けられた入賞検知センサも電気的に接続されている。
【０１１７】
ＭＰＵ９２では、各入賞検知センサ２１６、２３３から信号を受信し、その受信結果に基づいて各入賞部への入賞判定（入球判定）が行われる。この場合、一般入賞口３１、可変入賞部３２、上入賞部３３又は下入賞部３４への入賞を特定した場合には、各入賞対象に対応した遊技球の払い出しが実行されるようにするための処理を実行する。また、上入賞部３３又は下入賞部３４への入賞を特定した場合には、所定の更新タイミングとなる度に数値情報の更新が行われる各種カウンタから数値情報を取得して保留情報として記憶するとともに、保留情報が記憶されている場合には、可変入賞部３２が複数回に亘って開閉される開閉実行モードに移行させるか否かの当否判定や当該開閉実行モード後の遊技状態を決定するための振分判定を行う。そして、それら当否判定や振分判定の結果に基づいて、遊技を進行させる。
【０１１８】
ＭＰＵ９２の出力側には、可変入賞部３２を開閉動作させる可変入賞駆動部３２ａと、可変入賞部３２の後方から光を照射する発光基板２４３と、下入賞部３４の電動役物３４ａを開閉動作させる電動役物駆動部３４ｂと、が電気配線を介して電気的に接続されている。また、ＭＰＵ９２の出力側には、メイン表示部４３と、役物用表示部４４と、が電気配線を介して電気的に接続されている。主制御基板９１には各種ドライバ回路が設けられており、当該ドライバ回路を通じてＭＰＵ９２は各種駆動部３２ａ，３４ｂの駆動制御を実行するとともに各種表示部４３，４４の表示制御を実行する。
【０１１９】
つまり、開閉実行モードにおいては可変入賞部３２が開閉されるように、ＭＰＵ９２において可変入賞駆動部３２ａの駆動制御が実行される。また、電動役物３４ａの開放状態当選となった場合には、電動役物３４ａが開閉されるようにＭＰＵ９２において電動役物駆動部３４ｂの駆動制御が実行される。また、各遊技回に際しては、ＭＰＵ９２においてメイン表示部４３の表示制御が実行される。また、電動役物３４ａを開放状態とするか否かの抽選結果を明示する場合に、ＭＰＵ９２において役物用表示部４４の表示制御が実行される。
【０１２０】
ここで、ＭＰＵ９２は、パチンコ機１０の電源オン時に発光基板２４３からの光の照射を開始し、可変入賞駆動部３２ａの動作中だけでなく停止中も照射を継続する。つまり、発光基板２４３の照射開始は開閉実行モード中だけでなく、遊技回中においても行われるとともに、開閉実行モード及び遊技回のいずれでもない状況においても行われる。これにより、可変入賞部３２に不正具が配置されているか否かの目視確認を簡単に行う機会が高められる。但し、発光基板２４３からの光の照射期間は上記のものに限定されることはなく、開閉実行モード中のみであってもよい。
【０１２１】
払出制御装置７８は、払出装置７７を通じた遊技球の払出の制御を司る払出制御基板１０１を具備している。払出制御基板１０１には、ＭＰＵ１０２が搭載されている。ＭＰＵ１０２には、ＲＯＭ１０３及びＲＷＭ１０４が内蔵されている。なお、以下の説明では、主制御装置７１に設けられたＭＰＵ９２、ＲＯＭ９３及びＲＷＭ９４と区別するために、主制御装置７１に設けられたＭＰＵ９２、ＲＯＭ９３及びＲＷＭ９４を主側ＭＰＵ９２、主側ＲＯＭ９３及び主側ＲＷＭ９４と称し、払出制御装置７８に設けられたＭＰＵ１０２、ＲＯＭ１０３及びＲＷＭ１０４を払出側ＭＰＵ１０２、払出側ＲＯＭ１０３及び払出側ＲＷＭ１０４と称する。
【０１２２】
払出側ＲＯＭ１０３は、払出側ＭＰＵ１０２により実行される各種の制御プログラムや固定値データを記憶している。払出側ＲＷＭ１０４は、払出側ＲＯＭ１０３内に記憶されている制御プログラムの実行に際して各種のデータ等を一時的に記憶する。また、払出側ＭＰＵ１０２又は払出制御基板１０１には、上記素子以外に、割込回路、タイマ回路、データ入出力回路などが設けられている。
【０１２３】
払出側ＭＰＵ１０２は払出装置７７と電気的に接続されている。当該払出装置７７には、タンク７６から払出装置７７に供給されている遊技球をそれよりも下流側へ流下しないように通過を阻止する状態と、当該遊技球を下流側へ送り出す状態とに切り換える回転体などの球止め部材を駆動する払出モータ７７ａが設けられているとともに、上記下流側へと送り出される遊技球を個別に検知する払出検知センサ７７ｂが設けられている。払出側ＭＰＵ１０２の出力側には払出モータ７７ａが電気配線を介して電気的に接続されているとともに、払出側ＭＰＵ１０２の入力側には払出検知センサ７７ｂが電気配線を介して電気的に接続されている。払出側ＭＰＵ１０２では、払出制御基板１０１に設けられたドライバ回路を通じて払出モータ７７ａに駆動信号を供給することで遊技球の払出を実行させるとともに、払出検知センサ７７ｂの検知結果に基づいて払出が完了した遊技球の個数を把握する。
【０１２４】
払出側ＭＰＵ１０２は、主側ＭＰＵ９２との間で通信を行うことに基づき、遊技球の払出を制御する。具体的には、主側ＭＰＵ９２では入賞検知センサ２１６、２３３の検知結果に基づいて賞球の発生に対応した入賞部への入賞を確認した場合に払出側ＭＰＵ１０２に向けて賞球コマンド（払出指令情報）を送信する。この場合、賞球コマンドには自身が賞球コマンドであることを示す情報及び賞球を実行すべき個数の情報が含まれており、複数ビットの情報として構成されている。当該賞球コマンドを受信することで、払出側ＭＰＵ１０２は、その賞球コマンドにより指示された個数の遊技球が払い出されるように払出モータ７７ａを駆動制御する。そして、払出検知センサ７７ｂの検知結果に基づいて、上記指示に係る個数の遊技球の払い出しが完了したと判断した際には、払出モータ７７ａの駆動制御を停止する。
【０１２５】
電源及び発射制御装置７９は電源及び発射制御基板１１１を備えており、当該電源及び発射制御基板１１１には、主制御装置７１及び払出制御装置７８を含めた各種機器に動作電力を供給する機能を有する電源回路１１２が設けられている。電源回路１１２には、電入時用電源部１１３と、電断時用電源部１１４とが設けられている。
【０１２６】
電入時用電源部１１３は、例えば遊技ホール等における商用電源（外部電源）に接続されており、その商用電源から供給される外部電力に基づいて主制御装置７１や払出制御装置７８等の各々に必要な動作電圧を生成するとともに、その生成した動作電圧を主制御装置７１や払出制御装置７８等に対して供給する。
【０１２７】
電入時用電源部１１３と主側ＭＰＵ９２との電力供給経路の途中位置には停電監視基板９６が設けられている。停電監視基板９６は、電入時用電源部１１３から供給される最大電圧である直流安定２４ボルトの電圧を監視する。そして、この電圧が２２ボルト未満になると電源遮断の発生と判断し、主側ＭＰＵ９２に対する停電信号（電断信号）の出力設定を停電（電源遮断）の発生に対応したものとする。
【０１２８】
電断時用電源部１１４はコンデンサからなり、パチンコ機１０の電源がＯＮ状態の場合（商用電源からの電力供給が行われている場合）に電入時用電源部１１３から供給される電力により充電される。また、パチンコ機１０の電源がＯＦＦ状態の場合や商用電源における停電発生時といった電源遮断状態（商用電源からの電力供給が遮断されている場合）では、電断時用電源部１１４から放電され主側ＲＷＭ９４及び払出側ＲＷＭ１０４に対して記憶保持用電力（バックアップ電力）が供給される。よって、かかる状況であっても、電断時用電源部１１４から記憶保持用電力が供給されている間は主側ＲＷＭ９４及び払出側ＲＷＭ１０４に記憶された情報が消去されることなく記憶保持される。
【０１２９】
電源及び発射制御基板１１１には、電源回路１１２以外にも、遊技球の発射制御を担う発射制御回路１１５が設けられている。発射制御回路１１５には、条件成立の送信回路１１６と、発射許可の受信回路１１７と、発射用ＩＣ１１８と、が設けられている。
【０１３０】
条件成立の送信回路１１６は、予め定められた遊技球の発射条件が成立している場合において主側ＭＰＵ９２に対して所定の信号形態の条件成立信号を送信する機能を有している。具体的には、発射制御回路１１５は、発射操作装置５５の環状のハンドル部が遊技者により触れられていることを検知するタッチセンサ５５ａと、ハンドル部を回転操作している状況であっても遊技球の発射を停止させるべく遊技者により手動操作される球止めスイッチ５５ｂと、が電気的に接続されている。
【０１３１】
条件成立の送信回路１１６は、タッチセンサ５５ａからハンドル部が遊技者により触れられていることを示す信号を受信するとともに、球止めスイッチ５５ｂから遊技者により手動操作されていないことを示す信号を受信している場合に、主側ＭＰＵ９２に対してＨＩレベルの条件成立信号（条件成立に対応した信号）を送信する。
【０１３２】
発射許可の受信回路１１７は、条件成立の送信回路１１６から主側ＭＰＵ９２に対してＨＩレベルの条件成立信号が送信されていることを一の条件として主側ＭＰＵ９２から送信されるＨＩレベルの発射許可信号（発射許可に対応した信号）を受信するとともに、当該発射許可信号を受信している場合にそれに対応した信号を発射用ＩＣ１１８に継続して供給する機能を有している。また、主側ＭＰＵ９２は、ＨＩレベルの条件成立信号の受信を開始するたびにＨＩレベルの発射許可信号の送信を新たに開始するとともにＨＩレベルの条件成立信号の受信が終了した場合にはＨＩレベルの発射許可信号の送信を終了する。
【０１３３】
発射用ＩＣ１１８は、発射許可の受信回路１１７からＨＩレベルの発射許可信号又はそれに対応した信号を受信している場合に、遊技球発射機構５１のソレノイド５４及び球送り装置５３のそれぞれに対して定期的に駆動信号を出力する機能を有している。この場合、発射用ＩＣ１１８は、パルス信号として各駆動信号を出力するとともに、その出力周期は０．６ｓｅｃとなっている。また、発射レール５２に１個の遊技球が供給された後に、当該遊技球が発射されるように、駆動信号の出力タイミングは球送り装置５３の方がソレノイド５４よりも早く設定されている。
【０１３４】
なお、発射操作装置５５には上記のとおりハンドル部が設けられており、当該ハンドル部の操作量が多いほどソレノイド５４による遊技球の発射強度が強くなる。この場合、発射操作装置５５にはハンドル部の操作量を検知するための操作量検知手段として可変抵抗器が設けられており、発射用ＩＣ１１８では当該可変抵抗器から入力する電圧を通じてソレノイド５４に供給する駆動信号の電圧を調整して発射強度を調整する。なお、当該調整機能が発射用ＩＣ１１８に設けられていることは必須ではなく、発射用ＩＣ１１８とソレノイド５４との信号経路の途中に調整回路が設けられている構成としてもよい。
【０１３５】
音声発光制御装置７２は、主側ＭＰＵ９２から受信したコマンドに基づき、表示ランプ部５８ａ、エラーランプ部５８ｂ及びスピーカ部５９を駆動制御するとともに、表示制御装置１２１にコマンドを送信する。表示制御装置１２１は、音声発光制御装置７２から受信した各種コマンドを解析し又は受信した各種コマンドに基づき所定の演算処理を行って、図柄表示装置４１における画像の表示を制御する。
【０１３６】
以上詳述した本実施の形態によれば、以下の優れた効果を奏する。
【０１３７】
光透過性部材で形成された入賞扉２２２の後方背面において検知用孔部２６６が前後方向に延びるように可変入賞検知センサ２３３を設置したことにより、可変入賞検知センサ２３３の検知用孔部２６６がパチンコ機１０前方から視認可能となり、ホール管理者は検知用孔部２６６に不正具が設置された場合に不正を発見しやすくなる。また、検知用孔部２６６の後方から前方に向けて光を照射するように発光基板２４３を設けたことにより、遊技ホールの管理者にとっては不正具を発見しやすくなる。その一方、発光基板２４３からの光は、入賞扉２２２を照らす機能も果たすため、遊技者にとっては上記光を装飾として認識し易くなり、可変入賞検知センサ２３３が目立ちづらくなる。よって、装飾性の低下を抑制しながら、上記不正行為の発見の容易化が図られる。
【０１３８】
上記のように可変入賞検知センサ２３３の後方から光を照射するようにした構成において、当該可変入賞検知センサ２３３として光学式のセンサではなく磁気検知式のセンサを用いている。これにより、可変入賞検知センサ２３３の検知精度を低下させないようにしながら、上記のような不正行為の発見の容易化が図られる。
【０１３９】
ＬＥＤ２４４を設けた発光基板２４３を検知用孔部２６６の後方に設けることで、検知用孔部２６６だけでなく大入賞口２２１全体を照らすことができ、不正具を確認し易くするとともに、遊技者が不正防止の構造に対して遊技者にとって目立たなくすることができる。
【０１４０】
発光基板２４３上に設置されたＬＥＤ２４４の光軸が検知用孔部２６６を通るようにＬＥＤ２４４を設置することで、遊技機外へ照射する光が極力遮られずにより広範囲を照射可能となり、可変入賞検知センサ２３３の検知用孔部２６６に不正具が設置された場合に発見しやすくなる。
【０１４１】
また、図１０に示すように、入賞扉２２２の前面に、入賞扉２２２のコネクタ部２６２と検知用孔部２６６の前方とならないハウジング２３５を前方から覆う領域及び可変入賞駆動部３２ａを前方から覆う領域に装飾を付すことで、コネクタや検知用孔部２６６に対して不正がなされた場合に、遊技機前面から視認可能としつつ、装飾性の低下が抑制されている。
【０１４２】
ベース部材２０１には、可変入賞部３２、上入賞部３３及び下入賞部３４が設けられている。ベース部材２０１内側の領域において、パチンコ機１０前後方向に積層するように各入賞部３２〜３４が一体形成されており、入賞ユニット３０の組み立て、パチンコ機１０への取付け等が容易となる。
【０１４３】
またベース部材２０１に上入賞部３３下入賞部３４が一体形成されることで入賞部間の上下方向の寸法を短くすることが可能となる。また、可変入賞検知センサ２３３を検知用孔部２６６が前後方向となるように配置することで可変入賞部３２において、可変入賞検知センサ２３３の厚み分だけ上下方向の寸法を短くすることが可能となる。
【０１４４】
排出通路２２６において必須の構成である曲げ部２８０に対して発光基板２４３を並設したことにより、遊技盤２４の背面側という限られた領域において、曲げ部２８０を設けるための空間を有効利用して発光基板２４３を設けることができる。また、曲げ部２８０よりも下流側に発光基板２４３を並設させるのではなく、曲げ部２８０に対して並設することで、下流側の長さを調整する上で発光基板２４３の大きさを考慮する必要がない。よって、排出通路２２６の縦寸法のサイズ及び入賞ユニット３０の縦寸法のサイズを小さくすることが可能となる。
【０１４５】
大入賞口２２１及び入賞扉２２２の後方においてこれら大入賞口２２１及び入賞扉２２２に向けて光を照射するように発光基板２４３を設けたことにより、曲げ部２８０を利用して発光基板２４３を設けた構成において、ＬＥＤ２４４からの光を大入賞口２２１及び入賞扉２２２を利用して前方に照射することができる。
【０１４６】
本実施の形態において、曲げ部２８０及び通路領域２２６ａの少なくとも一方と同じ高さ位置に発光基板２４３だけでなく、可変入賞検知センサ２３３が設けられている。当該構成によっても、上下方向の小型化が図られる。
【０１４７】
＜第２の実施の形態＞
本実施の形態では、発光基板２４３の設置の仕方が上記第１の実施の形態と異なっている。上記第１の実施の形態との相違点について、図１３〜１５を参照しながら説明する。図１３において、（ａ）は本実施の形態における大入賞口２２１及びその周辺を拡大して示す正面図であり、（ｂ）は本実施の形態における大入賞口２２１に対する可変入賞検知センサ２３３及び発光基板２４３の位置関係を説明するための模式図である。図１４は本実施の形態における入賞ユニット３０の前方分解斜視図、図１５は本実施の形態における入賞ユニット３０の断面図であって、（ａ）は図１３（ａ）のＡ−Ａ線断面図であり、（ｂ）は図１３（ａ）のＢ−Ｂ線断面図である。ここで、図１３（ｂ）において発光基板２４３に対し破線にてハッチングしてあるが、断面を示しているのではなく発光基板２４３の設置範囲を示している。また、可変入賞検知センサ２３３の設置範囲を実線で示しているが、全ての範囲が視認可能ということではない。遊技球の案内通路やその他の大入賞口２２１後方の構成については図示を省略する。なお、図１３〜１５において、上記第１の実施の形態と同様の構成については、同一の図番を付すとともに、基本的にその説明を省略する。
【０１４８】
まず、大入賞口２２１に入賞した遊技球の流下通路の構成について説明する。
【０１４９】
大入賞口２２１に入賞した遊技球の流下通路は、図１４に示すように、第１案内部材２２４に設けられ前後方向に貫通する導入用孔部２２５の一部が第２案内部材２３２に設けられた閉塞用壁部２２９によってパチンコ機１０後方から閉塞されることによって区画形成されている。
【０１５０】
ここで、導入用孔部２２５の底側を規定する導入用底部２６３は横方向の一方に向けて下り傾斜となっている。また、閉塞用壁部２２９には当該導入用底部２６３において最も低位となった箇所の奥側位置に前後方向に貫通する規制用孔部２３０が形成されている。規制用孔部２３０は、複数の遊技球を同時に通過させることを不可とする大きさ、より詳細には遊技球１個分よりも若干大きく形成されている。
【０１５１】
規制用孔部２３０の後方には、図１５（ａ）に示すように、排出部材２３８を用いて形成された可変入賞用の排出通路２２６が設けられている。可変入賞用の排出通路２２６は、通路方向に対して直交する方向に複数の遊技球が同時に並ばないように形成されている。また、可変入賞用の排出通路２２６は、規制用孔部２３０から続くとともにパチンコ機１０後側に向けて下り傾斜した通路領域２２６ａと、当該通路領域２２６ａの最下流部から下方へと延びる通路領域２２６ｂとを備えている。この場合に、前者の通路領域２２６ａに可変入賞検知センサ２３３が設けられている。
【０１５２】
次に、排出通路２２６に設けられ、通路領域２２６ａと通路領域２２６ｂを連通させる曲げ部２８０について説明する。排出部材２３８に設けられた通路領域２２６ｂは、可変入賞検知センサ２３３が設けられている通路領域２２６ａとともに排出通路２２６を形成することで、前後方向の通路の方向を下方へ曲げる部分（以下、曲げ部２８０という）を形成している。
【０１５３】
図１４に示すように、通路領域２２６ｂは、排出部材２３８からパチンコ機１０前方へ突出した通路の上面を規定する天井部２８１、当該天井部２８１から鉛直下方向に一体形成された側壁２８２、通路の奥行きを規定する奥壁２８３により形成されている。ここで、具体的な奥行きは遊技球１個分より若干長い程度となっている。通路領域２２６ｂはパチンコ機１０前方に向けて開放され、検知用孔部２６６と略同一の面積を有する通路空間を規定しており、この通路空間に対してパチンコ機１０前方から遊技球が１個ずつ排出される。
【０１５４】
上記ように可変入賞部３２の通路が形成されていることにより、大入賞口２２１に入球した遊技球は、先ず閉塞用壁部２２９により後方への移動が規制された状態で横方向の導入用底部２６３上を下り、規制用孔部２３０の位置に誘導される。そして、規制用孔部２３０を１個ずつ通過し、通路領域２２６ａによりパチンコ機１０後方へ案内される。その後、曲げ部２８０によって通路の方向が曲げられ、通路領域２２６ｂによって下方へ排出される。
【０１５５】
次に上記通路に対して設けられている可変入賞検知センサ２３３について説明する。
【０１５６】
可変入賞検知センサ２３３は、図１５（ａ）に示す可変入賞用の排出通路２２６のうちパチンコ機１０後側に向けて下り傾斜した通路領域２２６ａに設けられている。この場合、検知用孔部２６６の軸線方向が傾斜領域２３１の通路方向と同様に傾斜した方向となるように、可変入賞検知センサ２３３が設置されている。具体的には、可変入賞検知センサ２３３は、検知用孔部２６６が前後方向に延びるように設置されている。傾斜領域２３１に対して上流側にて連続する規制用孔部２３０が大入賞口２２１の横方向の一端側に設けられていることに対応させて、可変入賞検知センサ２３３の検知用孔部２６６も当該大入賞口２２１の一端側の領域に対して後方に存在している。また、可変入賞検知センサ２３３は、ハウジング２３５において検知用孔部２６６と並設された領域が大入賞口２２１の横方向の中央側に対して後方に存在するように設置されている。つまり、可変入賞検知センサ２３３は、検知用孔部２６６だけでなくコネクタ部２６２も大入賞口２２１に対して後方にて重なるように設置されている。
【０１５７】
上記通路に対して設けられている発光基板２４３について説明する。
【０１５８】
発光基板２４３は、第２案内部材２３２における閉塞用壁部２２９の背面側の領域に対してパチンコ機１０後方からネジ固定されている。発光基板２４３の縦幅は第２案内部材２３２の縦幅よりも小さく、大入賞口２２１と同一又は略同一の幅に設定されている。横幅は第２案内部材２３２の閉塞用壁部２２９が設けられた幅よりも規制用孔部２３０の幅だけ短い幅に設定されている。発光基板２４３の取り付け位置は、閉塞用壁部２２９の背面側において、規制用孔部２３０と重ならない横方向の中央側に設けられている。発光基板２４３上には発光体としてＬＥＤ２４４が複数設けられており、光の軸線が前後方向となるように設けられている。発光基板２４３におけるＬＥＤ２４４の位置は、大入賞口２２１に対して後方にて重なる領域に設けられている。これによりＬＥＤ２４４の照射光は大入賞口２２１より光透過性部材で形成された入賞扉２２２を通ってパチンコ機１０前方から視認可能となっている。
【０１５９】
上記のように設けられた発光基板２４３と可変入賞検知センサ２３３の位置関係について説明する。図１４に示すように発光基板２４３は、可変入賞検知センサ２３３の前方に設けられている。また、発光基板２４３は上述したように閉塞用壁部２２９の背面側において規制用孔部２３０と重ならない領域に設けられている。そのため、図１３（ｂ）に示すように、可変入賞検知センサ２３３の前方領域において、発光基板２４３の一部がハウジング２３５における検知用孔部２６６と重ならず、センサ基板が収容された領域の前方領域と重なる範囲に設けられている。発光基板２４３と可変入賞検知センサ２３３がこのような位置関係にあるため、遊技球は発光基板２４３に規制用孔部２３０への流入を阻害されることなく、図１５（ａ）に示すように、可変入賞検知センサ２３３の検知用孔部２６６において検知可能となっている。また、図１５（ｂ）に示すように、閉塞用壁部２２９の背面側における規制用孔部２３０と重ならない中央側において発光基板２４３の一部は可変入賞検知センサ２３３のハウジング２３５におけるセンサ基板が収容された領域の前方に設けられている。これにより可変入賞検知センサ２３３の上記領域がパチンコ機１０前方から視認しづらくなっている。
【０１６０】
また、図１３（ａ）に示すように、入賞扉２２２の前面には光非透過性部材で形成された装飾が付されている。装飾が付されている位置は、発光基板２４３が設けられていない領域及びその周辺の前方領域となっており、具体的には、可変入賞駆動部３２ａの前方領域、可変入賞検知センサ２３３の検知用孔部２６６の前方領域及び発光基板２４３の一部の前方領域となっている。
【０１６１】
排出通路２２６において必須の構成である曲げ部２８０に対して発光基板２４３を並設したことにより、遊技盤２４の背面側という限られた領域において、曲げ部２８０を設けるための空間を有効利用して発光基板２４３を設けることができる。また、曲げ部２８０よりも下流側に発光基板２４３を並設させるのではなく、曲げ部２８０に対して並設することで、下流側の長さを調整する上で発光基板２４３の大きさを考慮する必要がない。よって、排出通路２２６の縦寸法のサイズ及び入賞ユニット３０の縦寸法のサイズを小さくすることが可能となる。
【０１６２】
また、複数の遊技球の受入を許容する大入賞口２２１の後方に遊技球１つ分の通過を許容する規制用孔部２３０が設けられており、規制用孔部２３０の横方向に発光基板２４３を並設することで、大入賞口２２１が設けられた横方向の空間の後方領域に発光基板２４３を設けることが可能となり、可変入賞部３２の設置領域を小さくすることが可能となる。
【０１６３】
発光基板２４３の発光面を閉塞用壁部２２９に沿って設置することで、大入賞口２２１の後方からパチンコ機１０前方へ効率的に光を照射することが可能となる。
【０１６４】
また、閉塞用壁部２２９の横方向の一方に偏倚させて規制用孔部２３０を設けることで、発光基板２４３を複数設けることなく大入賞口２２１全体に対して光を照射することが可能となる。
【０１６５】
発光基板２４３の少なくとも一部がハウジング２３５において検知用孔部２６６から外れた部分の前方領域に設けられていることで、遊技球の通過を阻害することなく、可変入賞検知センサ２３３が前方から視認しづらくなり、装飾性の低下を抑制することが可能となる。
【０１６６】
＜第３の実施の形態＞
以下の説明では、上記第１の実施の形態と同様の構成については基本的にその説明を省略する。図１６は入賞ユニット３０の背面図であり、発光基板２４３及び基板カバー２４５を外した状態を示す。
【０１６７】
鉛直方向に延びる下入賞用の排出通路２１９の途中には、通路方向を横方向に曲げるようにコーナー部２５０が形成されている。これにより、排出通路２１９は、コーナー部２５０の上流側及び下流側のいずれもが鉛直方向に延びているものの、それら通路領域が横方向にずれた状態となっている。よって、排出通路２１９を流下する遊技球を、コーナー部２５０における通路壁との接触により減圧することが可能となる。また、排出通路２１９の最下流部から挿入された不正具は、コーナー部２５０に対して下方から当接することで、それよりも上流側に侵入させようとする行為が行いづらくなる。
【０１６８】
また、コーナー部２５０において、下流側の鉛直領域２５２の上方部分には、当該鉛直領域２５２を上方へと延長させるように逃げ部２５１が形成されており、当該逃げ部２５１は入賞ユニット３０の外部に開放されている。これにより、上記不正具が逃げ部２５１を通じて入賞ユニット３０の外部に排出されることが期待される。
【０１６９】
＜第４の実施の形態＞
本実施の形態では、可変入賞検知センサ２３３の設置の仕方が上記第１の実施の形態と異なっている。上記第１の実施の形態との相違点について、図１７を参照しながら説明する。図１７は、本実施の形態における大入賞口２２１に対する可変入賞検知センサ２３３及び発光基板２４３の位置関係を説明するための模式図である。ここで、図１７において発光基板２４３に対し破線にてハッチングしてあるが、断面を示しているのではなく発光基板２４３の設置範囲を示している。また、可変入賞検知センサ２３３の設置領域を実線で示しているが、全ての範囲が視認可能ということではない。遊技球の案内通路やその他の大入賞口２２１後方の構成については図示を省略する。なお、図１７において、上記第１の実施の形態と同様の構成については、同一の図番を付すとともに、基本的にその説明を省略する。
【０１７０】
本実施の形態では、上記第１の実施の形態と同様に、検知用孔部２６６が前後方向に延びるように可変入賞検知センサ２３３が起立させて設けられているが、上記第１の実施の形態と異なり、可変入賞検知センサ２３３はその全体が大入賞口２２１の後方領域に含まれているのではなく、検知用孔部２６６を含めた一部のみが大入賞口２２１の後方領域に含まれている。詳細には、検知用孔部２６６は大入賞口２２１の横方向の端部側に対してその後方に位置しており、ハウジング２３５においてセンサ基板を収容した側は、大入賞口２２１の後方領域の外側に位置している。これにより、コネクタ部２６２に対する不正行為の発見の容易化は図れなくなるが、検知用孔部２６６に対する不正行為の発見の容易化を、装飾性の低下を抑制しながら実現することが可能となる。
【０１７１】
また、可変入賞検知センサ２３３は、ハウジング２３５においてセンサ基板を収容した領域が検知用孔部２６６に対して横並びとなるように設置されている。これにより、センサ基板を収容した領域が検知用孔部２６６に対して縦並びとなるように可変入賞検知センサ２３３を設置する構成に比べて、入賞ユニット３０の小型化が図られる。
【０１７２】
＜他の実施の形態＞
なお、上述した各実施の形態の記載内容に限定されず、本発明の趣旨を逸脱しない範囲内で種々の変形改良が可能である。例えば以下のように変更してもよい。ちなみに、以下の別形態の構成を、上記各実施の形態の構成に対して、個別に適用してもよく、組み合わせて適用してもよい。また、以下の別形態の構成を、例示した実施の形態とは異なる実施の形態に対して適用してもよい。
【０１７３】
（１）上記第１又は第４の実施の形態において、大入賞口２２１に対して後方にて重なる領域に可変入賞検知センサ２３３が設けられているが、その他の検知センサを大入賞口２２１に対して後方に重なる領域に設けてもよい。例えば、下入賞検知センサ２１６を大入賞口２２１に対して後方にて重なる領域に設ける構成としてもよい。具体的には、大入賞口２２１に対して後方にて重なる領域内に下入賞検知センサ２１６の下流側の端部が含まれる構成としてもよい。ここで、下入賞用の排出通路２１９は上下方向に形成されているため、下入賞検知センサ２１６の下流側の端部は大入賞口２２１の下端部よりも上方に配置されることが好ましい。下入賞検知センサ２１６の下流側の端部を大入賞口２２１の下端部よりも上方に配置することで、下入賞用の排出通路２１９の下方から下入賞検知センサ２１６の貫通孔２７０に対して不正具が挿入された場合に発見し易くなる。
【０１７４】
また、大入賞口２２１の後方にて重なる領域に可変入賞検知センサ２３３を設けることは必須では無く、下入賞検知センサ２１６のみを設ける構成としてもよいが、可変入賞検知センサ２３３と下入賞検知センサ２１６の両方を設ける構成としたほうが、両方の入賞検知センサに対して不正の発見が容易となるため好ましい。可変入賞検知センサ２３３と下入賞検知センサ２１６を設ける場合に、大入賞口２２１の後方領域にて可変入賞検知センサ２３３の検知用孔部２６６と前後方向に重なる位置に下入賞検知センサ２１６の本体部２６９の一部が設置されたり、下入賞検知センサ２１６の下流側の端部と前後方向に重なる位置に可変入賞検知センサ２３３のハウジング２３５の一部が設置されたりすることにより、発光基板２４３の照射光を遮らないように両方の入賞検知センサを配置することが望ましい。
【０１７５】
また、大入賞口２２１に対して後方に重なる領域において、下入賞用の排出通路２１９の途中にて前後方向に曲げるように排出通路２１９を形成することで、下入賞検知センサ２１６の貫通孔２７０の軸線が前後方向となるように配置する構成としてもよい。この場合に、可変入賞検知センサ２３３の検知用孔部２６６と前後方向に重なる位置に下入賞検知センサ２１６の本体部２６９の一部が設置されたり、下入賞検知センサ２１６の貫通孔２７０と前後方向に重なる位置に可変入賞検知センサ２３３のハウジング２３５の一部が設置されたりすることにより、発光基板２４３の照射光を遮らないように両方の入賞検知センサを配置することが望ましい。このように貫通孔２７０の軸線が前後方向となるように下入賞検知センサ２１６を設置することにより、前方から貫通孔２７０を視認し易くなり、貫通孔２７０の下流側に不正具が挿入された場合に発見し易くなる。
【０１７６】
また上記構成は、大入賞口２２１に限定されるものではなく、検知手段の前方領域に光透過領域が存在し、前方から検知手段が視認可能となっている構成であれば適用してもよい。
【０１７７】
（２）上記第1の実施の形態において、可変入賞駆動部３２ａによる電気的な開閉以外に、入賞ユニット３０の外側から手動で入賞扉２２２を開閉可能となる構造としてもよい。具体的な構成としては、入賞扉２２２の前面側に突出する持ち手部を設ける構成が考えられる。この場合、不正らしき行為を発見した場合に、可変入賞駆動部３２ａを駆動させることなく、手動で入賞扉２２２を開放でき、容易に入賞領域を視認することが可能となる。
【０１７８】
（３）上記各実施の形態において、大入賞口２２１の形状は横長の矩形状をなしており、横幅として遊技球２つ分以上の幅を有し、縦幅として遊技球１つ分の幅を有しているもの以外に、遊技球を受け入れることが可能であれば、楕円形状などでもよい。また縦幅も１つ分以上の幅を有する構成としてもよい。具体的な構成としては、可変入賞検知センサ２３３の検知用孔部２６６に対してより大きな形状とすることで、検知用孔部２６６を目立たなくすることができる。
【０１７９】
（４）上記第４の実施の形態において、検知用孔部２６６と、センサ基板を収容している領域とが横方向ではなく、縦方向に並ぶように可変入賞検知センサ２３３を設置してもよい。この場合も、背面に設置されたＬＥＤ２４４の光によって、大入賞口２２１のより広範囲を照射することが可能となり、視認性が向上する。
【０１８０】
（５）上記第1の実施の形態において、可変入賞検知センサ２３３における検知用孔部２６６及びコネクタ部２６２とは異なる領域の視認性を低下させるための装飾を、光を透過可能に形成されたゲート部材２２３に付与してもよい。
【０１８１】
（６）上記各実施の形態において、入賞扉２２２に付される装飾は、光を透過可能である構成としてもよい。この場合、ハウジング２３５において検知用孔部２６６やコネクタ部２６２以外の領域の視認性を低下させながら、装飾性をより高めることが可能となる。
【０１８２】
（７）上記各実施の形態において、発光基板２４３の制御対象は、主制御装置７１に限定されることはなく、音声発光制御装置７２や表示制御装置１２１であってもよい。
【０１８３】
（８）上記第1実施の形態において、発光基板２４３は可変入賞検知センサ２３３の後方に設けられていることは必須ではなく、可変入賞検知センサ２３３の上方や下方に設けられているが、反射板などを用いて結果的に可変入賞検知センサ２３３に対して後方から光が照射される構成としてもよい。
【０１８４】
（９）上記第２実施の形態において、可変入賞検知センサ２３３は、その全体が大入賞口２２１の後方領域に含まれるのではなく、上記第４の実施の形態のように、検知用孔部２６６を含めた一部のみが大入賞口２２１の後方領域に含まれるように設けてもよい。この場合、発光基板２４３の設置領域を変えることなく可変入賞検知センサ２３３をより前方に設けることが可能となる。これにより、入賞した遊技球をより早く検知することが可能となる。また、可変入賞検知センサ２３３において検知用孔部２６６以外の部分を大入賞口２２１の後方領域に含まないことで余分な構成は視認不可とし、パチンコ機１０前方から検知用孔部２６６以外の構成が見えることによる装飾性の低下を抑制可能としている。
【０１８５】
（１０）上記各実施の形態において、排出通路２２６の通路の方向は前後方向の通路を曲げ部２８０によって下方へと曲がるのではなく、上下方向に設置幅が生じるのであれば、どのように曲がる通路でもよく、例えば横方向に曲がる通路であってもよい。具体的には、上記各実施の形態において大入賞口２２１の案内通路における構成に適用する場合が考えられる。大入賞口２２１に入賞した遊技球は横方向に案内され規制用孔部２３０にてパチンコ機１０後方へ排出される。この場合に、発光基板２４３の少なくとも一部が上記案内通路の設けられた領域及び規制用孔部２３０の少なくとも一方と同じ高さ位置となるように設ければよい。上記構成によっても本件発明と同様の効果を得ることができる。
【０１８６】
（１１）上記各実施の形態において、受入手段として可変入賞部３２の前後方向に開口部を有する構成を採用したが、これに限定されるものでなく、電動役物３４ａが設けられた下入賞部３４のように上方向に開口部を有する構成に本発明を適用してもよい。上下方向に開口部を有する構成とした場合、遊技球をパチンコ機１０後方へ案内するための曲げ部分が設けられる。発光基板２４３は少なくともその一部が、当該曲げ部分及び当該曲げ部分よりも上流側の通路領域の少なくとも一方と同じ高さ位置になるように設けられることで下入賞部３４の上下方向の小型化を図ることが可能となる。
【０１８７】
（１２）上記各実施の形態において、通路の曲げ領域が設けられた空間を利用することにより発光手段を設ける構成をパチンコ機１０において、入賞装置とは異なる通路に適用してもよい。例えば、上皿６１ａ又は下皿６２ａへ遊技球を払い出す払出用の通路に適用する構成が考えられる。前扉枠１４の背面側において後方に突出し上方に開放された受入口が設けられている。受入口によって受け入れられた遊技球は前扉側上皿通路又は前面側下皿通路によって下方へ案内され、曲げ部を介して前扉枠１４の前面側に設けられた上皿６１ａ又は下皿６２ａに排出される。上記構成は、通路に曲げ領域が設けられているため、既存の通路の設置空間を利用して発光手段を設けることが可能となる。また、遊技球の払い出しにおける装飾性を高めることで、遊技者の期待を高めることが可能となる。
【０１８８】
（１３）弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組み合わせが成立していた場合にはメダルの払い出し等といった特典を遊技者に付与するスロットマシンのメダルの排出口及び排出用通路の構成にも本発明を適用できる。
【０１８９】
（１４）上記各実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも本発明を適用できる。
【０１９０】
また、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機における遊技球の上皿排出口、下皿排出口及び排出通路にも本発明を適用できる。
【０１９１】
＜上記各実施の形態から抽出される発明群について＞
以下、上述した各実施の形態から抽出される発明群の特徴について、必要に応じて効果等を示しつつ説明する。
【０１９２】
＜特徴Ａ群＞
特徴Ａ１．遊技媒体を受け入れる受入手段（第１、第４の実施の形態における可変入賞部３２）と、
当該受入手段により受け入れられた遊技媒体を所定の方向に案内する案内通路（第１、第４の実施の形態における導入用底部２６３）と、
当該案内通路に設けられ、通過する遊技媒体を検知する検知手段（第１、第４の実施の形態における可変入賞検知センサ２３３）と、
当該検知手段に対して後方から光が照射されるようにする発光手段（第１、第４の実施の形態におけるＬＥＤ２４４）と、
前記検知手段に対して前記光の照射方向の先側に設けられ、当該光を透過可能であるとともに前記検知手段を前方から視認可能とする光透過手段（第１、第４の実施の形態における入賞扉２２２、ゲート部材２２３、第１案内部材２２４、第２案内部材２３２、及び排出部材２３８）と、
を備えていることを特徴とする遊技機。
【０１９３】
特徴Ａ１によれば、光透過手段によって前方から検知手段を視認可能としたことにより、ホールの管理者は検知手段に不正具が設置された場合に不正を発見しやすくなる。また、検知手段の後方から前方に向けて光を照射するように発光手段を設けたことにより、遊技ホールの管理者にとっては不正具を発見しやすくなる。その一方、発光手段からの光は受入手段を照らす機能も果たすため、遊技者にとっては上記光を装飾として認識し易くなり、検知手段が目立ちづらくなる。よって、装飾性の低下を抑制しながら、上記不正行為の発見の容易化が図られる。
【０１９４】
特徴Ａ２．前記検知手段は、前記案内通路の途中位置に検知領域（第１、第４の実施の形態における検知用孔部２６６）を有し、当該検知領域の遊技媒体の通過を検知するものであり、
前記光透過手段は、前記検知手段の前方において前記検知領域の前方領域（第１、第４の実施の形態における窓部２３４）を含む範囲に設けられていることを特徴とする特徴Ａ１に記載の遊技機。
【０１９５】
特徴Ａ２によれば、光透過手段により検知領域の前方領域が前方から視認可能となるため、検知領域に不正具が設置された場合に遊技ホールの管理者は不正具を発見しやすくなる。
【０１９６】
特徴Ａ３．前記検知手段は、遊技媒体の検知結果を出力するために利用されるコネクタ部（第１の実施の形態におけるコネクタ部２６２）を有しており、
前記光透過手段は、前記検知手段の前方において前記検知領域の前方領域及び前記コネクタ部の前方領域を含む範囲（第１の実施の形態における窓部２３４）に設けられていることを特徴とする特徴Ａ２に記載の遊技機。
【０１９７】
特徴Ａ３によれば、検知領域だけでなくコネクタ部に対する不正の発見も容易となる。
【０１９８】
特徴Ａ４．前記検知手段は、遊技媒体の検知結果を出力するために利用されるコネクタ部（第４の実施の形態におけるコネクタ部２６２）を有しており、
前記光透過手段は、前記検知手段の前方において前記検知領域の前方領域を含む一方、前記コネクタ部の前方領域を含まない範囲（第４の実施の形態における窓部２３４）に設けられていることを特徴とする特徴Ａ２に記載の遊技機。
【０１９９】
特徴Ａ４によれば、光透過手段がコネクタ部の前方領域を含まれない範囲に設けられていることで、検知手段に対する不正行為の発見の容易化を、装飾性の低下を抑制しながら実現することが可能となる。
【０２００】
特徴Ａ５．前記検知領域は、前記検知手段のハウジング（第１、第４の実施の形態におけるハウジング２３５）を貫通させて形成された検知用孔部（第１、第４の実施の形態における検知用孔部２６６）であり、
前記検知手段は、前記検知用孔部の軸線方向が垂直方向に対して交差する方向となるように設けられていることを特徴とする特徴Ａ２乃至Ａ４のいずれか１に記載の遊技機。
【０２０１】
特徴Ａ５によれば、検知用孔部の軸線方向が垂直方向に対して交差する方向となるように設けられていることにより、前方から検知用孔部を視認し易くなる。そのため、検知用孔部の下流側に不正具が挿入された場合に発見しやすくなる。
【０２０２】
特徴Ａ６．前記発光手段は、前記検知用孔部を通じて前記光透過手段に光を照射可能となるように設けられていることを特徴とする特徴Ａ５に記載の遊技機。
【０２０３】
特徴Ａ６によれば、発光手段により照射された光は検知用孔部を通過し、光透過手段に光を照射するため、前方へ照射する光が極力遮られずにより広範囲を照射可能となり、検知用孔部に不正具が設置された場合に発見しやすくなる。また、装飾性の低下も抑えられる。
【０２０４】
特徴Ａ７．前記案内通路は、前記検知領域よりも下流側に通路方向を曲げる曲げ部（第１、第４の実施の形態における曲げ部２８０、第３の実施の形態におけるコーナー部２５０）を有しており、
前記発光手段は、前記曲げ部よりも後方から前記検知手段に向けて光を照射するように設けられていることを特徴とする特徴Ａ５又はＡ６に記載の遊技機。
【０２０５】
特徴Ａ７によれば、曲げ部が設けられていることにより、検知領域の下流側に不正具を設けづらくなっている。また曲げ部よりも後方から検知手段に向けて光を照射することで、検知手段の下流側に不正具が設置された場合に発見しやすくなる。
【０２０６】
特徴Ａ８．前記光透過手段は、前記検知手段のハウジング（第１、第４の実施の形態におけるハウジング２３５）における前記検知用孔部とは異なる領域に対して、その前方にて並ぶ所定の領域（第１、第４の実施の形態における入賞扉２２２、ゲート部材２２３）に装飾が付されていることを特徴とする特徴Ａ２乃至Ａ７のいずれか１に記載の遊技機。
【０２０７】
特徴Ａ８によれば、光透過手段において検知用孔部とは異なる領域に対して装飾を設けることで、検知用孔部に対する不正行為の発見の容易化を、装飾性の低下を抑制しながら実現することが可能となる。
【０２０８】
特徴Ａ９．前記光透過手段は、前記受入手段の開口部分（第１、第４の実施の形態における大入賞口２２１）を開閉する開閉部材（第１、第４の実施の形態における入賞扉２２２）であることを特徴とする特徴Ａ１乃至Ａ８のいずれか１に記載の遊技機。
【０２０９】
特徴Ａ９によれば、受入手段の開口部分を開閉することが可能となり、不正らしき行為を発見した場合に、受入手段を開放することで検知領域に対して視認性を向上させることが可能となる。
【０２１０】
＜特徴Ｂ群＞
特徴Ｂ．遊技球が流下する遊技領域に設けられ、当該遊技領域を流下する遊技球が入球可能な入球部（第１の実施の形態における上入賞部３３、下入賞部３４及び可変入賞部３２）を縦方向に複数有する入賞ユニット（第１の実施の形態における入賞ユニット３０）と、
前記複数の入球部のうち特定入球部（第１の実施の形態における可変入賞部３２）に対して設けられ、当該特定入球部に入球した遊技球を検知する検知手段（第１の実施の形態における可変入賞検知センサ２３３）と、
を備え、
前記特定入球部は、その入球口（第１の実施の形態における規制用孔部２３０）が前方を向くように形成されており、
当該検知手段は、当該検知手段のハウジング（第１の実施の形態におけるハウジング２３５）を貫通するように形成されている検知用孔部（第１の実施の形態における検知用孔部２６６）を有しており、さらに当該検知用孔部が前記入球口から続くように下り傾斜させて形成された通路領域（第１の実施の形態における通路領域２２６ａ）の一部を構成するように当該検知用孔部の軸線方向が垂直方向に対して交差する方向となるように設置されていることを特徴とする遊技機。
【０２１１】
特徴Ｂによれば、上下方向に並ぶ複数の入賞口を一体形成することで部品数の削減や入賞口間距離の削減等が可能となり、入賞口間の上下方向のスペースを縮小することができる。さらに検知手段の検知用孔部が前方を向く入球口から続くように形成された通路領域の一部を構成するように設けられていることで、検出センサの厚み分だけ上下方向の寸法を縮小することができ、遊技領域のスペースを有効利用することができる。
【０２１２】
＜特徴Ｃ群＞
特徴Ｃ１．遊技媒体を受け入れる受入手段（第１、第２の実施の形態における大入賞口２２１）と、
少なくとも一部がベース体（第１、第２の実施の形態におけるベース部材２０１，遊技盤２４）の背面側に設けられ、当該受入手段により受け入れられた遊技媒体を下方へ案内する案内通路（第１、第２の実施の形態における排出通路２２６）と、
前記ベース体の背面側に設けられ、当該ベース体に設けられた光透過領域（第１、第２の実施の形態における発光基板２４３の前方領域）を介して前方から光が視認可能となるように光を照射する発光手段（第１、第２の実施の形態における発光基板２４３）と、
を備えた遊技機において、
前記案内通路は、その途中位置に通路方向を変更する曲げ領域（第１、第２の実施の形態における曲げ部２８０）を備え、
前記発光手段はその少なくとも一部が、前記案内通路において前記曲げ領域及びそれよりも上流側の通路領域（第１、第２の実施の形態における通路領域２２６ａ）の少なくとも一方と同じ高さ位置となるようにして前記案内通路に並設されていることを特徴とする遊技機。
【０２１３】
特徴Ｃ１によれば、ベース体の背面側の限られた領域において、案内通路において曲げ領域を設けるための空間を利用して発光手段を設けることができる。これにより、省スペース化を図りながら、装飾効果を高めることができる。
【０２１４】
特徴Ｃ２．遊技媒体が流下する遊技領域が前面側に形成された遊技盤（第１、第２の実施の形態における遊技盤２４）と、
前記遊技領域を流下する遊技媒体が入球可能な入球部（第１、第２の実施の形態における大入賞口２２１）と、
前記遊技盤を前後方向に貫通するようにして設けられ、前記入球部に入球した遊技媒体を前記遊技盤の背面側であって当該遊技盤の下側へと導く案内通路（第１、第２の実施の形態における排出通路２２６）と、
前記遊技盤の背面側に設けられ、当該遊技盤に設けられた光透過領域（第１、第２の実施の形態における発光基板２４３の前方領域かつ大入賞口２２１の後方領域）を介して前方から光が視認可能となるように光を照射する発光手段（第１、第２の実施の形態における発光基板２４３）と、
を備えた遊技機において、
前記案内通路は、前記入球部から続くとともに前記遊技盤を前後方向に貫通する上流側通路領域（第１、第２の実施の形態における通路領域２２６ａ）と、
曲げ領域（第１、第２の実施の形態における曲げ部２８０）を介して前記上流側通路領域に連通され、前記遊技盤の下側に向けて遊技媒体を案内する下流側通路領域（第１、第２の実施の形態における通路領域２２６ｂ）と、
を備えており、
前記発光手段はその少なくとも一部が、前記上流側通路領域と同じ高さ位置となるようにして当該上流側通路領域に並設されていることを特徴とする遊技機。
【０２１５】
特徴Ｃ２によれば、入球部に入球した遊技媒体を遊技領域から排出するためには、遊技盤を前後方向に貫通する通路が必要となる。この場合に、当該通路領域に発光手段を並設させることで、上記のような必須の構成を設けるための空間を利用して発光手段を設けることができる。よって、省スペース化を図りながら、装飾効果を高めることができる。
【０２１６】
特徴Ｃ３．前記入球部は、遊技盤の前面にて前方に向けて開放された受け口（第１、第２の実施の形態において大入賞口２２１は開口がパチンコ機１０前方に対して開放されていること）であり、前記発光手段は当該受け口の後方領域において前方に向けて光を照射するように設けられていることを特徴とする特徴Ｃ２に記載の遊技機。
【０２１７】
特徴Ｃ３によれば、前後通路領域を設けるための空間を利用して発光手段を設けた構成において、発光手段からの光を受け口の構成を利用して良好に前方へと導出することができる。
【０２１８】
特徴Ｃ４．前記入球部には、前記受け口を開閉する開閉扉（第１、第２の実施の形態における入賞扉２２２）が設けられており、当該開閉扉は光を透過する光透過性部材で形成されており、前記光透過領域の少なくとも一部を形成していることを特徴とする特徴Ｃ３に記載の遊技機。
【０２１９】
特徴Ｃ４によれば、前後通路領域を設けるための空間を利用して発光手段を設けた構成において、発光手段からの光を開閉扉の構成を利用して良好に前方へと導出することができる。
【０２２０】
特徴Ｃ５．前記受け口は複数の遊技球が同時に入球可能な開口面積（第２の実施の形態における大入賞口２２１の横幅は遊技球２個分以上であること）を有し、後側に向けて下り傾斜しているとともに当該受け口の後方では遊技球が１個ずつ通過するように通路幅が絞られた絞り口（第２の実施の形態における規制用孔部２３０）が設けられており、当該絞り口に対して横方向に前記発光手段が並設されていることを特徴とする特徴Ｃ３又はＣ４に記載の遊技機。
【０２２１】
特徴Ｃ５によれば、受け口を複数の遊技媒体が同時に入ることが可能な開口面積としながら、その下流側に絞り口を形成することで、受け口へ遊技媒体が入ることを容易なものとしながら、その入った遊技媒体を規則正しく案内することができる。この場合に、絞り口に対して発光手段を並設することで、上記通路構成を利用して受け口の後方に発光手段を設けることができる。
【０２２２】
特徴Ｃ６．前記受け口の後方には、少なくとも一部が光透過性となるように形成された背板（第２の実施の形態における閉塞用壁部２２９）が前記受け口の開口面と平行又は略平行となるように設けられており、当該背板の後方から当該背板の板面に対して光を照射するように前記発光手段が設けられていることを特徴とする特徴Ｃ５に記載の遊技機。
【０２２３】
特徴Ｃ６によると、発光基板の発光面を背板に沿って設置することが可能となり、受け口の後方から前方へ効率的に光を照射することが可能となる。
【０２２４】
特徴Ｃ７．前記背板において、横方向の一方に偏倚させた位置（第２の実施の形態における閉塞用壁部２２９の設置領域に対する規制用孔部２３０の位置）に前記絞り口が形成されており、前記発光手段は当該背板の後方であって当該絞り口の横方に並設されていることを特徴とする特徴Ｃ６に記載の遊技機。
【０２２５】
特徴Ｃ７によれば、発光手段を複数設けることなく受け口全体に対して光を照射することが可能となり、前方へ効率的に光を照射することが可能となる。
【０２２６】
特徴Ｃ８．前記案内通路を通過する遊技媒体を検知する検知手段（第２の実施の形態における可変入賞検知センサ２３３）を備えており、前記発光手段の少なくとも一部は当該検知手段のハウジング（第２の実施の形態におけるハウジング２３５）の少なくとも一部の前方領域を含む範囲に設けられていることを特徴とする特徴Ｃ１乃至Ｃ７のいずれか１に記載の遊技機。
【０２２７】
特徴Ｃ８によれば、発光手段の一部によりハウジングの一部の領域が前方から視認しづらくなり、装飾性の低下を抑制することが可能となる。
【０２２８】
特徴Ｃ９．前記検知手段のハウジングには通過孔（第２の実施の形態における検知用孔部２６６）が形成されており、当該通過孔は軸線が前後方向となるように設けられており、前記発光手段の少なくとも一部は当該検知手段のハウジングにおいて通過孔から外れた領域の前方領域を含む範囲に設けられていることを特徴とする特徴Ｃ８に記載の遊技機。
【０２２９】
特徴Ｃ９によれば、発光手段の一部によってハウジングの通過孔から外れた領域が前方から視認しづらくなり、遊技球の通過を阻害することなく装飾性の低下を抑制することが可能となる。
【０２３０】
以下に、以上の各特徴を適応し得る遊技機の基本構成を示す。
【０２３１】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【０２３２】
スロットマシン等の回胴式遊技機：複数の絵柄を可変表示させる絵柄表示装置を備え、始動操作手段の操作に起因して前記複数の絵柄の可変表示が開始され、停止操作手段の操作に起因して又は所定時間経過することにより前記複数の絵柄の可変表示が停止され、その停止後の絵柄に応じて遊技者に特典を付与する遊技機。
【符号の説明】
【０２３３】
１０…パチンコ機、３０…入賞ユニット、３２…可変入賞部、３３…上入賞部、３３…下入賞部、２０１…ベース部材、２１６…下入賞用の入賞検知センサ、２２１…大入賞口、２２２…入賞扉、２２３…ゲート部材、２２４…第１排出部材、２２６ａ…通路領域、２２６ｂ…通路領域、２２９…閉塞用壁部、２３０…規制用孔部、２３２…第２案内部材、２３３…可変入賞検知センサ、２３４…窓部、２３５…ハウジング、２３８…排出部材、２４３…発光基板、２４４…ＬＥＤ、２６２…コネクタ部、２６３…導入用底部、２６６…検知用孔部、２８０…曲げ部。
【図１】
2019081084.tif 000003
【図２】
2019081084.tif 000004
【図３】
2019081084.tif 000005
【図４】
2019081084.tif 000006
【図５】
2019081084.tif 000007
【図６】
2019081084.tif 000008
【図７】
2019081084.tif 000009
【図８】
2019081084.tif 000010
【図９】
2019081084.tif 000011
【図１０】
2019081084.tif 000012
【図１１】
2019081084.tif 000013
【図１２】
2019081084.tif 000014
【図１３】
2019081084.tif 000015
【図１４】
2019081084.tif 000016
【図１５】
2019081084.tif 000017
【図１６】
2019081084.tif 000018
【図１７】
2019081084.tif 000019